(57)【要約】      （修正有）【課題】ワイヤレス通信デバイスへの干渉を低減するための方法を提供する。【解決手段】基地局へのワイヤレス通信デバイスの近接度を判断する。ワイヤレス通信デバイスの近接度を近接度しきい値と比較し、比較に基づいて、制限付き／非ＣＳＧ（限定加入者グループ）ワイヤレス通信デバイスにフェムトセルへのアクセスを許可できる。また、この方法は、比較に基づいて、登録応答がワイヤレス通信デバイスに送られるようにすることを含む。【選択図】図２
2014003642.tif 000002
【特許請求の範囲】
【請求項１】
ワイヤレス通信デバイスへの干渉を低減するための方法であって、
基地局へのワイヤレス通信デバイスの近接度を判断することと、
前記ワイヤレス通信デバイスの近接度を近接度しきい値と比較することと、
登録応答が前記比較に基づいて前記ワイヤレス通信デバイスに送られるようにすることと、
を備える方法。
【請求項２】
前記方法は前記基地局によって実行される、請求項１に記載の方法。
【請求項３】
前記基地局はフェムトアクセスポイントである、請求項２に記載の方法。
【請求項４】
前記ワイヤレス通信デバイスの前記近接度は前記基地局から前記ワイヤレス通信デバイスまでの経路損失を表し、前記経路損失は前記近接度しきい値未満であり、登録応答が送られるようにすることは登録応答を前記ワイヤレス通信デバイスに送ることを備える、請求項１に記載の方法。
【請求項５】
前記方法はコアネットワークによって実行される、請求項１に記載の方法。
【請求項６】
前記ワイヤレス通信デバイスから登録要求を受信することをさらに備え、前記ワイヤレス通信デバイスは前記基地局に対応する限定加入者グループ（ＣＳＧ）の一部でない、請求項１に記載の方法。
【請求項７】
前記登録要求はアクセスプローブの一部である、請求項６に記載の方法。
【請求項８】
前記アクセスプローブは受信ダウンリンクパイロットチャネル品質情報を備える、請求項７に記載の方法。
【請求項９】
前記近接度は、無線周波数（ＲＦ）ダウンリンク経路損失の関数であり、前記受信ダウンリンクパイロットチャネル品質情報とパイロット送信電力とを使用して判断される、請求項８に記載の方法。
【請求項１０】
ビーコンをブロードキャストすることをさらに備える、請求項１に記載の方法。
【請求項１１】
前記登録応答は登録拒否を備える、請求項１に記載の方法。
【請求項１２】
前記登録応答は登録受付けを備える、請求項１に記載の方法。
【請求項１３】
前記ワイヤレス通信デバイスとのアクティブデータ／ボイス通信を可能にすることをさらに備える、請求項１２に記載の方法。
【請求項１４】
第１のサイクル中に低電力ビーコンをブロードキャストすることと、ここにおいて第１の時間期間が前記第１のサイクルに対応する、
第２のサイクル中に高電力ビーコンをブロードキャストすることと、ここにおいて第２の時間期間が前記第２のサイクルに対応する、
ワイヤレス通信デバイスから登録要求を受信することと、
をさらに備える、請求項１に記載の方法。
【請求項１５】
前記登録要求は前記第１の時間期間中に受信され、前記登録応答は登録受付けである、請求項１４に記載の方法。
【請求項１６】
前記方法は基地局によって実行され、前記ワイヤレス通信デバイスが近接度ベースのアクセスのための可能性のある候補であるという指示と一緒に、前記登録要求をコアネットワークに渡すことをさらに備える、請求項１５に記載の方法。
【請求項１７】
前記登録要求は前記第２の時間期間中に受信され、前記登録応答は登録拒否である、請求項１４に記載の方法。
【請求項１８】
前記方法は基地局によって実行され、前記ワイヤレス通信デバイスが近接度ベースのアクセスのための可能性のある候補でないという指示と一緒に、前記登録要求をコアネットワークに渡すことをさらに備える、請求項１７に記載の方法。
【請求項１９】
前記近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断され、請求項１に記載の方法。
【請求項２０】
前記ワイヤレス通信デバイスに登録拒否を送ることと、
低減送信電力期間の間、ダウンリンク送信電力を低減することと、
をさらに備える、請求項６に記載の方法。
【請求項２１】
前記低減送信電力期間中にいくつの登録要求が受信されたかに基づいて前記低減送信電力期間および／または送信電力を適応させることをさらに備える、請求項２０に記載の方法。
【請求項２２】
前記送信電力を低減することは、パイロットチャネル上で前記送信電力を低減することを備える、請求項２０に記載の方法。
【請求項２３】
前記送信電力を低減することは、オーバーヘッド（制御）チャネル上で前記送信電力を低減することを備える、請求項２０に記載の方法。
【請求項２４】
前記送信電力を低減することは、すべてのチャネル上で前記送信電力を低減することを備える、請求項２０に記載の方法。
【請求項２５】
前記ワイヤレス通信デバイスに登録拒否を送ることと、
停止期間の間、ビーコン周波数上での送信を停止することと、
をさらに備える、請求項６に記載の方法。
【請求項２６】
前記ワイヤレス通信デバイスはレガシーユーザ機器（ＵＥ）である、請求項１に記載の方法。
【請求項２７】
ワイヤレス通信デバイスへの干渉を低減するように構成されたワイヤレスデバイスであって、
プロセッサと、
前記プロセッサと電気的に繋がれたメモリと、
前記メモリに記憶された複数の命令とを備え、前記複数の命令は、
前記ワイヤレスデバイスへのワイヤレス通信デバイスの近接度を判断すること、
前記ワイヤレス通信デバイスの近接度を近接度しきい値と比較すること、および
前記比較に基づいて、前記ワイヤレス通信デバイスに登録応答を送ることを行うように前記プロセッサによって実行可能である、ワイヤレスデバイス。
【請求項２８】
前記ワイヤレスデバイスは基地局である、請求項２７に記載のワイヤレスデバイス。
【請求項２９】
前記基地局はフェムトアクセスポイントである、請求項２８に記載のワイヤレスデバイス。
【請求項３０】
前記ワイヤレス通信デバイスの前記近接度は、前記基地局から前記ワイヤレス通信デバイスまでの経路損失を表し、前記経路損失は前記近接度しきい値未満であり、前記登録応答は登録受付けである、請求項２７に記載のワイヤレスデバイス。
【請求項３１】
前記複数の命令は前記ワイヤレス通信デバイスから登録要求を受信するようにさらに実行可能であり、前記ワイヤレス通信デバイスは前記ワイヤレスデバイスに対応する限定加入者グループ（ＣＳＧ）の一部でない、請求項２７に記載のワイヤレスデバイス。
【請求項３２】
前記登録要求はアクセスプローブの一部である、請求項３１に記載のワイヤレスデバイス。
【請求項３３】
前記アクセスプローブは受信ダウンリンクパイロットチャネル品質情報を備える、請求項３２に記載のワイヤレスデバイス。
【請求項３４】
前記近接度は、無線周波数（ＲＦ）ダウンリンク経路損失の関数であり、前記受信ダウンリンクパイロットチャネル品質情報とパイロット送信電力とを使用して判断される、請求項３３に記載のワイヤレスデバイス。
【請求項３５】
前記複数の命令はビーコンをブロードキャストするようにさらに実行可能である、請求項２７に記載のワイヤレスデバイス。
【請求項３６】
前記登録応答は登録拒否を備える、請求項２７に記載のワイヤレスデバイス。
【請求項３７】
前記登録応答は登録受付けを備える、請求項２７に記載のワイヤレスデバイス。
【請求項３８】
前記複数の命令は前記ワイヤレス通信デバイスとのアクティブデータ／ボイス通信を可能にするようにさらに実行可能である、請求項３７に記載のワイヤレスデバイス。
【請求項３９】
前記複数の命令は、
第１のサイクル中に低電力ビーコンをブロードキャストすることと、ここにおいて第１の時間期間が前記第１のサイクルに対応する、
第２のサイクル中に高電力ビーコンをブロードキャストすることと、ここにおいて第２の時間期間が前記第２のサイクルに対応する、
ワイヤレス通信デバイスから登録要求を受信することと、
を行うようにさらに実行可能である、請求項２７に記載のワイヤレスデバイス。
【請求項４０】
前記登録要求は前記第１の時間期間中に受信され、前記登録応答は登録受付けである、請求項３９に記載のワイヤレスデバイス。
【請求項４１】
前記複数の命令は、前記ワイヤレス通信デバイスが近接度ベースのアクセスのための可能性のある候補であるという指示と一緒に、前記登録要求をコアネットワークに渡すようにさらに実行可能である、請求項４０に記載のワイヤレスデバイス。
【請求項４２】
前記登録要求は前記第２の時間期間中に受信され、前記登録応答は登録拒否である、請求項３９に記載のワイヤレスデバイス。
【請求項４３】
前記複数の命令は、前記ワイヤレス通信デバイスが近接度ベースのアクセスのための可能性のある候補でないという指示と一緒に、前記登録要求をコアネットワークに渡すようにさらに実行可能である、請求項４２に記載のワイヤレスデバイス。
【請求項４４】
前記近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断される、請求項２７に記載のワイヤレスデバイス。
【請求項４５】
前記複数の命令は、
前記ワイヤレス通信デバイスに登録拒否を送ることと、
低減送信電力期間の間、ダウンリンク送信電力を低減することと、
を行うようにさらに実行可能である、請求項３１に記載のワイヤレスデバイス。
【請求項４６】
前記複数の命令は、前記低減送信電力期間中にいくつの登録要求が受信されたかに基づいて前記低減送信電力期間を適応させるようにさらに実行可能である、請求項４５に記載のワイヤレスデバイス。
【請求項４７】
前記送信電力を低減することは、パイロットチャネル上で前記送信電力を低減することを備える、請求項４５に記載のワイヤレスデバイス。
【請求項４８】
前記送信電力を低減することは、オーバーヘッド（制御）チャネル上で前記送信電力を低減することを備える、請求項４５に記載のワイヤレスデバイス。
【請求項４９】
前記送信電力を低減することは、総送信電力を低減することを備える、請求項４５に記載のワイヤレスデバイス。
【請求項５０】
前記複数の命令は、
前記ワイヤレス通信デバイスに登録拒否を送ることと、
停止期間の間、ビーコン周波数上での送信を停止することと、
を行うようにさらに実行可能である、請求項３１に記載のワイヤレスデバイス。
【請求項５１】
前記ワイヤレス通信デバイスはレガシーユーザ機器（ＵＥ）である、請求項２７に記載のワイヤレスデバイス。
【請求項５２】
ワイヤレス通信デバイスへの干渉を低減するように構成されたワイヤレスデバイスであって、
前記ワイヤレスデバイスへのワイヤレス通信デバイスの近接度を判断するための手段と、
前記ワイヤレス通信デバイスの近接度を近接度しきい値と比較するための手段と、
前記比較に基づいて、前記ワイヤレス通信デバイスに登録応答を送るための手段と
を備える、ワイヤレスデバイス。
【請求項５３】
ワイヤレス通信デバイスへの干渉を低減するためのコンピュータプログラム製品であって、前記コンピュータプログラム製品がその上に複数の命令を有するコンピュータ可読媒体を備え、前記複数の命令は、
ワイヤレスデバイスへのワイヤレス通信デバイスの近接度を判断するためのコードと、
前記ワイヤレス通信デバイスの近接度を近接度しきい値と比較するためのコードと、
前記比較に基づいて、登録応答が前記ワイヤレス通信デバイスに送られるようにするためのコードと、
を備える、コンピュータプログラム製品。
【発明の詳細な説明】
【技術分野】
【０００１】
関連出願
本出願は、「Proximity Based Access Control for Femto Cells」と題する２００９年５月４日に出願された米国仮特許出願第６１／１７５，３４４号に関し、その優先権を主張する。
【０００２】
本出願はまた、「Proximity Based Access Control for Femto Cells」と題する２００９年６月４日に出願された米国仮特許出願第６１／１８４，２７１号に関し、その優先権を主張する。
【０００３】
本開示は、一般にワイヤレス通信システムに関する。より詳細には、本開示は、近接度ベースのアクセス制御のためのシステムおよび方法に関する。
【背景技術】
【０００４】
ワイヤレス通信システムは、世界中の多くの人々が通信できるようにするための重要な手段になっている。ワイヤレス通信システムは多数の移動局のための通信を提供でき、各移動局は基地局によってサービスされることができる。
【０００５】
選択グループの移動局にサービスを提供するローカル基地局を使用することは有益であり得る。これらローカル基地局は、通常の基地局よりも少ない電力を使用し、より小さいカバレージエリアを有し得る。ローカル基地局は、その場合、移動局にアクティブボイス／データアクセスを提供できる。ローカル基地局が向上し続けるにつれて、より多くのローカル基地局が普及するようになる。
【０００６】
ローカル基地局の例には、フェムトセル、フェムトアクセスポイント、ピコセルおよびホーム進化型ノードＢ（ＨｅＮＢ）がある。ローカル基地局は一般性の損失なしにフェムトアクセスポイントと呼ばれ得る。これらのローカル基地局はユーザによって制御されることができる。例えば、ローカル基地局はエンドユーザによって購入されることができ、ワイヤレスカバレージを増加させるためにユーザの家庭またはオフィスに配置されることができる。ローカル基地局はサービスプロバイダによって制御されることもできる。例えば、サービスプロバイダは高いトラフィックをもつ公共エリア中にローカル基地局を配置できる。
【０００７】
移動局がローカル基地局に接近すると、移動局はローカル基地局を検出し、登録要求を送ることによってローカル基地局にアクセスすることを試み得る。ローカル基地局は、この後、移動局とのボイス／データ接続などの様々なサービスのための移動局へのアクセスを可能にすべきかどうかを判断できる。これらのローカル基地局に近いが、選択グループの一部でない移動局は、ローカル基地局からの強い干渉を受信し得る。この強い干渉は、場合によっては、移動局が通常の基地局へのアクセスを得ることを妨げることがある。従って、ローカル基地局に対するアクセス制約を改善することによって恩恵が実現され得る。
【発明の概要】
【０００８】
複数のワイヤレス通信デバイスへの干渉を低減するための方法について説明する。基地局へのワイヤレス通信デバイスの近接度を判断する。ワイヤレス通信デバイスの近接度を近接度しきい値と比較する。この方法は、比較に基づいて、登録応答がワイヤレス通信デバイスに送られるようにすることをも含む。
【０００９】
この方法は、基地局またはコアネットワークによって実行されることができる。基地局はフェムトアクセスポイントであってよい。ワイヤレス通信デバイスの近接度は、基地局からワイヤレス通信デバイスまでの経路損失を表し得る。経路損失は近接度しきい値未満であることができる。登録応答が送られるようにすることは、ワイヤレス通信デバイスに登録応答を送ることを含み得る。
【００１０】
登録要求がワイヤレス通信デバイスから受信できる。ワイヤレス通信デバイスは、基地局に対応する限定加入者グループ（ＣＳＧ）の一部でないことがある。登録要求はアクセスプローブの一部であることができる。アクセスプローブは受信ダウンリンクパイロットチャネル品質情報を含み得る。
【００１１】
近接度は、無線周波数（ＲＦ）ダウンリンク経路損失の関数であり得る。近接度は、受信ダウンリンクパイロットチャネル品質情報とパイロット送信電力とを使用して判断され得る。ビーコンはブロードキャストされ得る。登録応答は登録拒否または登録受付けを含み得る。ワイヤレス通信デバイスとのアクティブデータ／ボイス通信が可能にされ得る。
【００１２】
低電力ビーコンは第１のサイクル中にブロードキャストされ得る。第１の時間期間は第１のサイクルに対応し得る。高電力ビーコンは第２のサイクル中にブロードキャストされ得る。第２の時間期間は第２のサイクルに対応し得る。ワイヤレス通信デバイスから登録要求が受信され得る。登録要求は第１の時間期間中に受信され得る。登録応答は登録受付けであり得る。
【００１３】
登録要求は、ワイヤレス通信デバイスが近接度ベースのアクセスのための可能性のある候補であるという指示と一緒に、コアネットワークに渡され得る。登録要求は第２の時間期間中に受信され得る。登録応答は登録拒否であり得る。登録要求は、ワイヤレス通信デバイスが近接度ベースのアクセスのための可能性のある候補でないという指示と一緒に、コアネットワークに渡され得る。
【００１４】
近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断され得る。登録拒否がワイヤレス通信デバイスに送られ得る。低減送信電力期間の間、ダウンリンク送信電力が低減され得る。低減送信電力期間および／または送信電力は、低減送信電力期間中にいくつの登録要求が受信されたかに基づいて調整され得る。送信電力を低減することは、パイロットチャネル上、オーバーヘッド（制御）チャネル上またはすべてのチャネル上で送信電力を低減することを含み得る。停止期間の間、ビーコン周波数上での送信が停止され得る。ワイヤレス通信デバイスはレガシーユーザ機器（ＵＥ）であり得る。
【００１５】
また、複数のワイヤレス通信デバイスへの干渉を低減するように構成されたワイヤレスデバイスについて説明する。ワイヤレスデバイスは、プロセッサと、プロセッサと電気的に繋がったメモリと、メモリに記憶された命令とを含む。命令は、ワイヤレスデバイスへのワイヤレス通信デバイスの近接度を判断するようにプロセッサによって実行可能である。命令はまた、ワイヤレス通信デバイスの近接度を近接度しきい値と比較するようにプロセッサによって実行可能である。命令は、比較に基づいてワイヤレス通信デバイスに登録応答を送るようにプロセッサによってさらに実行可能である。
【００１６】
複数のワイヤレス通信デバイスへの干渉を低減するように構成されたワイヤレスデバイスについて説明する。ワイヤレスデバイスは、ワイヤレスデバイスへのワイヤレス通信デバイスの近接度を判断するための手段を含む。また、ワイヤレスデバイスはワイヤレス通信デバイスの近接度を近接度しきい値と比較するための手段を含む。ワイヤレスデバイスは、比較に基づいて登録応答をワイヤレス通信デバイスに送るための手段をさらに含む。
【００１７】
また、ワイヤレス通信デバイスへの干渉を低減するためのコンピュータプログラム製品について説明する。このコンピュータプログラム製品は、その上に命令を有するコンピュータ可読媒体を含む。命令は、ワイヤレスデバイスへのワイヤレス通信デバイスの近接度を判断するためのコードを含む。命令はまた、ワイヤレス通信デバイスの近接度を近接度しきい値と比較するためのコードを含む。命令は、比較に基づいて、登録応答がワイヤレス通信デバイスに送られるようにするためのコードをさらに含む。
【図面の簡単な説明】
【００１８】
【図１】複数のワイヤレスデバイスをもつワイヤレス通信システムを示す図。
【図２】近接度ベースのアクセス制御のための方法の流れ図。
【図３】フェムトアクセスポイントとワイヤレス通信デバイスとの間のチャネルのいくつかを示す図。
【図４】フェムトアクセスポイントの周囲に複数のカバレージエリアをもつワイヤレス通信システムを示すブロック図。
【図５】低電力ビーコンおよび高電力ビーコンの送信を示す図。
【図６】近接度ベースのアクセス制御のためのより詳細な方法の流れ図。
【図７】ワイヤレス通信デバイスとフェムトアクセスポイントとの間の通信を示す図。
【図８】近接度ベースのアクセス制御を可能にすべきかどうかを判断するための方法の流れ図。
【図９】近接度ベースのアクセスがワイヤレス通信デバイスに対して許可され得ないときにワイヤレス通信デバイスに課される干渉を最小限に抑えるための方法の流れ図。
【図１０】ワイヤレス通信デバイスに対して近接度ベースのアクセスが許可され得ないときにワイヤレス通信デバイスに課せられる干渉を最小限に抑えるための別の方法の流れ図。
【図１１】多入力多出力（ＭＩＭＯ）システム中の２つワイヤレスデバイスを示す図。
【図１２】基地局内に含まれ得るいくつかの構成要素を示す図。
【図１３】ワイヤレス通信デバイス内に含まれ得るいくつかの構成要素を示す図。
【発明を実施するための形態】
【００１９】
複数のワイヤレス通信デバイスへの干渉を低減するための方法について説明する。基地局へのワイヤレス通信デバイスの近接度を判断する。ワイヤレス通信デバイスの近接度を近接度しきい値と比較する。この方法は、比較に基づいて、登録応答がワイヤレス通信デバイスに送られるようにすることをも含む。
【００２０】
この方法は、基地局またはコアネットワークによって実行されることができる。基地局はフェムトアクセスポイントであってよい。ワイヤレス通信デバイスの近接度は、基地局からワイヤレス通信デバイスまでの経路損失を表し得る。経路損失は近接度しきい値未満であることができる。登録応答が送られるようにすることは、ワイヤレス通信デバイスに登録応答を送ることを含み得る。
【００２１】
登録要求がワイヤレス通信デバイスから受信できる。ワイヤレス通信デバイスは、基地局に対応する限定加入者グループ（ＣＳＧ）の一部でないことがある。登録要求はアクセスプローブの一部であることができる。アクセスプローブは受信ダウンリンクパイロットチャネル品質情報を含み得る。
【００２２】
近接度は、無線周波数（ＲＦ）ダウンリンク経路損失の関数であり得る。近接度は、受信ダウンリンクパイロットチャネル品質情報とパイロット送信電力とを使用して判断され得る。ビーコンはブロードキャストされ得る。登録応答は登録拒否または登録受付けを含み得る。ワイヤレス通信デバイスとのアクティブデータ／ボイス通信が可能にされ得る。
【００２３】
低電力ビーコンは第１のサイクル中にブロードキャストされ得る。第１の時間期間は第１のサイクルに対応し得る。高電力ビーコンは第２のサイクル中にブロードキャストされ得る。第２の時間期間は第２のサイクルに対応し得る。ワイヤレス通信デバイスから登録要求が受信され得る。登録要求は第１の時間期間中に受信され得る。登録応答は登録受付けであり得る。
【００２４】
登録要求は、ワイヤレス通信デバイスが近接度ベースのアクセスのための可能性のある候補であるという指示と一緒に、コアネットワークに渡され得る。登録要求は第２の時間期間中に受信され得る。登録応答は登録拒否であり得る。登録要求は、ワイヤレス通信デバイスが近接度ベースのアクセスのための可能性のある候補でないという指示と一緒に、コアネットワークに渡され得る。
【００２５】
近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断され得る。登録拒否がワイヤレス通信デバイスに送られ得る。低減送信電力期間の間、ダウンリンク送信電力が低減され得る。低減送信電力期間および／または送信電力は、低減送信電力期間中にいくつの登録要求が受信されたかに基づいて調整され得る。送信電力を低減することは、パイロットチャネル上、オーバーヘッド（制御）チャネル上またはすべてのチャネル上で送信電力を低減することを含み得る。停止期間の間、ビーコン周波数上での送信が停止され得る。ワイヤレス通信デバイスはレガシーユーザ機器（ＵＥ）であり得る。
【００２６】
また、複数のワイヤレス通信デバイスへの干渉を低減するように構成されたワイヤレスデバイスについて説明する。ワイヤレスデバイスは、プロセッサと、プロセッサと電気的に繋がったメモリと、メモリに記憶された命令とを含む。命令は、ワイヤレスデバイスへのワイヤレス通信デバイスの近接度を判断するようにプロセッサによって実行可能である。命令はまた、ワイヤレス通信デバイスの近接度を近接度しきい値と比較するようにプロセッサによって実行可能である。命令は、比較に基づいてワイヤレス通信デバイスに登録応答を送るようにプロセッサによってさらに実行可能である。
【００２７】
複数のワイヤレス通信デバイスへの干渉を低減するように構成されたワイヤレスデバイスについて説明する。ワイヤレスデバイスは、ワイヤレスデバイスへのワイヤレス通信デバイスの近接度を判断するための手段を含む。また、ワイヤレスデバイスはワイヤレス通信デバイスの近接度を近接度しきい値と比較するための手段を含む。ワイヤレスデバイスは、比較に基づいて登録応答をワイヤレス通信デバイスに送るための手段をさらに含む。
【００２８】
また、ワイヤレス通信デバイスへの干渉を低減するためのコンピュータプログラム製品について説明する。このコンピュータプログラム製品は、その上に命令を有するコンピュータ可読媒体を含む。命令は、ワイヤレスデバイスへのワイヤレス通信デバイスの近接度を判断するためのコードを含む。命令はまた、ワイヤレス通信デバイスの近接度を近接度しきい値と比較するためのコードを含む。命令は、比較に基づいて、登録応答がワイヤレス通信デバイスに送られるようにするためのコードをさらに含む。
【００２９】
図１に、複数のワイヤレスデバイスをもつワイヤレス通信システム１００を示す。ワイヤレス通信システム１００は、音声、データなど様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムであり得る。ワイヤレスデバイスは基地局またはワイヤレス通信デバイスであり得る。また、コアネットワーク１１０を図１に示す。
【００３０】
基地局は、１つまたは複数のワイヤレス通信デバイスと通信する局である。基地局は、アクセスポイント、ブロードキャスト送信機、ノードＢ、進化型ノードＢなどとも呼ばれることがあり、それらの機能の一部または全部を含み得る。本明細書では、「基地局」という用語を使用する。各基地局は、特定の地理的エリアに通信カバレージを与える。基地局は、１つまたは複数のワイヤレス通信デバイスに通信カバレージを与え得る。「セル」という用語は、その用語が使用されるコンテキストに依存して基地局および／またはそのカバレージエリアを指すことができる。
【００３１】
移動局またはデバイスは「ユーザ機器」（ＵＥ）と呼ばれ得る。基地局は進化型ノードＢ（ｅＮＢ）と呼ばれ得る。半自律型(semi-autonomous)基地局はホーム進化型ノードＢ（ＨｅＮＢ）と呼ばれ得る。従って、ＨｅＮＢはｅＮＢの一例であり得る。ＨｅＮＢ、および／またはＨｅＮＢのカバレージエリアは、フェムトセル、ピコセル、ＨｅＮＢセル、フェムトアクセスポイントまたは限定加入者グループ（ＣＳＧ）セルと呼ばれ得る。本明細書ではフェムトアクセスポイントを使用する。フェムトアクセスポイントは、従来のワイドエリアネットワーク基地局の範囲を拡張する低電力基地局である。フェムトアクセスポイントは、セルラー無線通信技法をサポートするワイヤレス通信デバイスのために、家庭およびオフィス内でボイスおよび高速データサービスを提供する。フェムトアクセスポイントへのアクセスは、フェムトアクセスポイントが使用するアクセス制御の種類に依存する。オープンアクセスでは、任意のワイヤレス通信デバイスがフェムトアクセスポイントからのサービスにアクセスし、サービスを受信できる。限定加入者グループ（ＣＳＧ）または制限付きアクセスでは、ＣＳＧのメンバーのみが、フェムトアクセスポイントからのサービスにアクセスし、サービスを受信することを可能にされる。
【００３２】
ワイヤレスシステム（例えば、多元接続システム）における通信は、ワイヤレスリンクを介した送信によって達成され得る。こうした通信リンクは、単一入力単一出力（ＳＩＳＯ）、多入力単一出力（ＭＩＳＯ）、または多入力多出力（ＭＩＭＯ）システムを介して確立され得る。ＭＩＭＯシステムは、それぞれ、データ伝送のための複数の（ＮＴ）送信アンテナおよび複数の（ＮＲ）受信アンテナを装備した、（１つまたは複数の）送信機および（１つまたは複数の）受信機を含む。ＳＩＳＯシステムおよびＭＩＳＯシステムは、ＭＩＭＯシステムの特定の例である。複数の送信アンテナおよび受信アンテナによって生成された追加の次元数が利用される場合、ＭＩＭＯシステムは、改善されたパフォーマンス（例えば、より高いスループット、より大きい容量、または改善された信頼性）を与えることができる。
【００３３】
ＭＩＭＯシステムは時分割デュプレックス（ＴＤＤ）および周波数分割デュプレックス（ＦＤＤ）をサポートし得る。ＴＤＤシステムでは、アップリンクおよびダウンリンク伝送が同一周波数領域上で行われるので、相反原理がダウンリンクチャネルからのアップリンクチャネルの推定を可能にする。
【００３４】
本明細書の教示は、様々なタイプの通信システムおよび／またはシステム構成要素に組み込まれ得る。いくつかの態様では、本明細書の教示は、利用可能なシステムリソースを共有することによって（例えば、帯域幅、送信電力、符号化、インターリーブなどのうちの１つまたは複数を指定することによって）、複数のユーザとの通信をサポートすることが可能な多元接続システムにおいて採用され得る。例えば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。
【００３５】
本明細書の教示を使用するワイヤレス通信システムは、ＩＳ−９５、ｃｄｍａ２０００、ＩＳ−８５６、Ｗ−ＣＤＭＡ、時分割同期符号分割多元接続（ＴＤ−ＳＣＤＭＡ）、および他の規格など、１つまたは複数の規格を実施するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実施し得る。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実施し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施し得る。ＵＴＲＡ、Ｅ−ＵＴＲＡおよびＧＳＭはユニバーサル移動体通信システム（ＵＭＴＳ）の一部である。本明細書の教示は、第３世代Ｐａｒｔｎｅｒｓｈｉｐ  Ｐｒｏｊｅｃｔ（３ＧＰＰ）Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実施され得る。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用され得ることを理解されたい。明確さのために、以下において本技法のいくつかの態様をｃｄｍａ２０００に関して説明し、以下の説明の大部分でｃｄｍａ２０００用語を使用する。
【００３６】
通常の基地局（本明細書では通常の基地局をマクロ基地局１０８と呼ぶ）に加えて、ホーム進化型ノードＢ（ＨｅＮＢ）、ピコセルおよびフェムトセルなど、低電力基地局１０２が使用される。ピコセルは、マクロ基地局１０８よりもはるかに小さいスケールで動作する、ネットワーク事業者によって制御される基地局１０２を指すことがある。フェムトセルは、マクロ基地局１０８よりもはるかに小さいスケールで動作する、消費者によって制御される基地局１０２を指すことがある。フェムトセルは、限定加入者グループ（ＣＳＧ）にサービスを提供し得る。
【００３７】
基地局１０２は、１つまたは複数のワイヤレス通信デバイス１０４、１０６と通信し得る。ワイヤレス通信デバイス１０４、１０６は、端末、アクセス端末、ユーザ機器（ＵＥ）、加入者ユニット、局などとも呼ばれることがあり、それらの機能の一部または全部を含み得る。ワイヤレス通信デバイス１０４、１０６は、セルラー電話、携帯情報端末（ＰＤＡ）、ワイヤレスデバイス、ワイヤレスモデム、ハンドヘルドデバイス、ラップトップコンピュータなどであり得る。ワイヤレス通信デバイス１０４、１０６は、任意の所与の瞬間に、ダウンリンク１１４ａ〜ｃおよび／またはアップリンク１１２ａ〜ｃ上の０、１つまたは複数の基地局１０２、１０８と通信し得る。ダウンリンク１１４（または順方向リンク）は、基地局１０２、１０８からワイヤレス通信デバイス１０４、１０６への通信リンクを指し、アップリンク１１２（または逆方向リンク）は、ワイヤレス通信デバイス１０４、１０６から基地局１０２への通信リンクを指す。
【００３８】
第１のワイヤレス通信デバイス１０４は限定加入者グループ（ＣＳＧ）の一部であり得る。ＨｅＮＢなどの基地局１０２は、基地局１０２へのアクセスを、限定加入者グループ（ＣＳＧ）の一部であるワイヤレス通信デバイスに制限し得る。シグナリング専用アクセスでは、限定加入者グループ（ＣＳＧ）の一部でないワイヤレス通信デバイスが、ＨｅＮＢを使用してシグナリングメッセージをコアネットワーク１１０と交換することを許される。しかしながら、シグナリング専用アクセスでは、限定加入者グループ（ＣＳＧ）の一部でないワイヤレス通信デバイスは、ＨｅＮＢからのアクティブモードボイス／データサービスを許されない。
【００３９】
第２のワイヤレス通信デバイス１０６は限定加入者グループ（ＣＳＧ）の一部でないことがある。第２のワイヤレス通信デバイス１０６は、代わりに、アップリンク１１２ｃとダウンリンク１１４ｃとを介してマクロ基地局１０８と通信し得る。ただし、第２のワイヤレス通信デバイス１０６は基地局１０２のカバレージ領域内に配置され得る。第２のワイヤレス通信デバイス１０６は基地局１０２からの干渉を受信し得る。
【００４０】
基地局１０２は、限定加入者グループ（ＣＳＧ）の一部でないワイヤレス通信デバイス１０６の、基地局１０２への近接度に基づく新しいアクセスモデルを使用することもできる。近接度ベースのアクセスでは、限定加入者グループ（ＣＳＧ）の一部でないが基地局１０２の近くにあり、従って、基地局１０２からの厳しい干渉に直面する可能性があるワイヤレス通信デバイス１０６が、基地局１０２へのアクセスを許される。近接度ベースのアクセスは限定加入者グループ（ＣＳＧ）の拡張である。基地局１０２は、基地局１０２から遠く離れた大部分のワイヤレス通信デバイスに制限され、それによって限定加入者グループ（ＣＳＧ）様のアクセス制御を基地局１０２の所有者に提供する。また、限定加入者グループ（ＣＳＧ）の一部でないワイヤレス通信デバイス１０６にサービスを提供することによって、干渉による、マクロ基地局１０８のカバレージ中のデッドゾーンを防ぐ。
【００４１】
基地局１０２は、複数のワイヤレス通信デバイスが見つかるであろうマクロ基地局１０８によって使用される周波数上でビーコンをブロードキャストできる。これらのビーコンは、ワイヤレス通信デバイスを基地局１０２に引きつけるために使用され得る。基地局１０２は、基地局１０２によって与えられたカバレージを、マクロ基地局１０８のカバレージエリアに生じた干渉と平衡させるために、電力較正アルゴリズムを使用できる。ただし、基地局１０２のカバレージ領域内にある非限定加入者グループ（ＣＳＧ）ワイヤレス通信デバイス１０６の干渉を完全になくすことは不可能である。例えば、基地局１０２が基地局１０２からの最高８０デシベル（ｄＢ）の経路損失をカバレージに与えるように設計された場合、限定加入者グループ（ＣＳＧ）の一部でないワイヤレス通信デバイス（すなわち、第２のワイヤレス通信デバイス１０６）は、基地局１０２ダウンリンク１１４ｂの周波数および／またはビーコン周波数上で、これらの周波数上での基地局１０２の送信電力１２１に依存した干渉に直面し得る。限定加入者グループ（ＣＳＧ）の一部でないワイヤレス通信デバイス１０６が基地局１０２に極めて近接したとき、この干渉は特に厳しくなり得る。干渉は、第２のワイヤレス通信デバイス１０６からマクロ基地局１０８のカバレージを奪い得る。
【００４２】
基地局１０２は近接度アクセスモジュール１１６を含み得る。近接度アクセスモジュール１１６は、限定加入者グループ（ＣＳＧ）の一部でないワイヤレス通信デバイス１０６上の干渉の影響を最小限に抑えるために、基地局１０２によって使用され得る。例えば、近接度アクセスモジュール１１６は、第２のワイヤレス通信デバイス１０６が受ける干渉が近接度しきい値１１８よりも大きいときに、第２のワイヤレス通信デバイス１０６による基地局１０２へのアクセスを可能にするために基地局１０２によって使用され得る。第２のワイヤレス通信デバイス１０６が受ける干渉は、基地局１０２への第２のワイヤレス通信デバイス１０６の近接度１１９と直接相関し得る。近接度１１９は、基地局１０２と第２のワイヤレス通信デバイス１０６との間の経路損失に基づき得る。
【００４３】
近接度ベースのアクセスが第２のワイヤレス通信デバイス１０６に与えられ得ないとき、近接度アクセスモジュール１１６は、第２のワイヤレス通信デバイス１０６による登録の試みを検出すると、ダウンリンク１１４ｂの周波数および／またはビーコン周波数上での基地局１０２の送信電力１２１を調整できる。送信電力１２１の一時的低減は、第２のワイヤレス通信デバイス１０６が受ける干渉を低減できる。
【００４４】
無線周波数（ＲＦ）経路損失基準は、第２のワイヤレス通信デバイス１０６が基地局１０２へのアクセスを許されるべきかどうかを判断するために、第２のワイヤレス通信デバイス１０６が受けているマクロカバレージを考慮するようにさらに増大され得る。例えば、基地局１０２が偶然マクロ基地局１０８に極めて近接した場合、第２のワイヤレス通信デバイス１０６が基地局１０２に近接したときでも、第２のワイヤレス通信デバイス１０６は依然としてマクロ基地局１０８から十分なカバレージを受信し得る。従って、近接度ベースのアクセスは許されないことになる。
【００４５】
図２は、近接度ベースのアクセス制御のための方法２００の流れ図である。方法２００は基地局１０２によって実行され得る。一構成では、基地局１０２はフェムトアクセスポイントであり得る。基地局１０２は、ダウンリンク１１４（順方向リンク）の周波数および／またはビーコン周波数上でオーバーヘッド信号をブロードキャストし得る（２０２）。基地局１０２はこの後ワイヤレス通信デバイス１０６から登録要求を受信できる（２０４）。ワイヤレス通信デバイス１０６は、基地局１０２に対応する限定加入者グループ（ＣＳＧ）の一部でないことがある。
【００４６】
基地局１０２はワイヤレス通信デバイス１０６の近接度１１９を判断できる（２０６）。近接度１１９は、基地局１０２とワイヤレス通信デバイス１０６との間の無線周波数（ＲＦ）経路損失の関数として判断され得る。基地局１０２は、この後、近接度１１９が近接度しきい値１１８よりも大きいかどうかを判断できる（２０８）。近接度しきい値１１８は、基地局１０２に記憶された所定の値であり得る。例えば、近接度しきい値１１８は６０ｄＢであり得る。ワイヤレス通信デバイス１０６の近接度１１９が７０ｄＢである（すなわち、基地局１０２からワイヤレス通信デバイス１０６までの経路損失が７０ｄＢである）場合、ワイヤレス通信デバイス１０６の近接度１１９は、６０ｄＢという近接度しきい値１１８よりも大きい。近接度１１９が近接度しきい値１１８よりも大きいかどうかを判断すること（２０８）は、近接度１１９を近接度しきい値１１８と比較することを含み得る。
【００４７】
ワイヤレス通信デバイス１０６の近接度１１９が近接度しきい値１１８よりも大きい場合、基地局１０２はワイヤレス通信デバイス１０６に登録拒否を送ることができる（２１０）。一構成では、コアネットワーク１１０が近接度ベースのアクセスに関する決定を行う場合、コアネットワーク１１０は、基地局２０２に、ワイヤレス通信デバイス１０６に登録拒否を送らせることができる（２１０）。ワイヤレス通信デバイス１０６の近接度１１９が近接度しきい値１１８よりも大きくない場合、基地局１０２はワイヤレス通信デバイス１０６に登録受付けを送ることができる（２１２）。一構成では、コアネットワーク１１０は、基地局１０２に、ワイヤレス通信デバイス１０６に登録受付けを送らせることができる（２１２）。基地局１０２は、この後、ワイヤレス通信デバイス１０６とのアクティブデータ／ボイス通信を可能にできる（２１４）。
【００４８】
基地局１０２からワイヤレス通信デバイス１０６までのＲＦ経路損失を取得することができない（すなわち、（例えば、レガシーｃｄｍａ２０００デバイスにおいて）アクセスプローブを使用して経路損失を取得することができない）場合、代替方式は、ビーコンの送信電力に基づいて、近接度ベースのアクセスに関する決定を行うことである。以下において、ビーコンの送信電力を使用した近接度ベースのアクセスを図４、図５および図６に関してさらに詳細に説明する。
【００４９】
ワイヤレス通信デバイスは基地局にアクセスプローブを送ることができる。以下において、アクセスプローブを図７に関してさらに詳細に説明する。アクセスプローブは、チップごとのダウンリンクパイロット信号エネルギー（Ｅｃｐ）、または総受信機電力（Ｉｏ）に対するチップごとのパイロットエネルギーの比であるパイロット強度（Ｅｃｐ／Ｉｏ）、ならびに総受信電力などのフィードバックを含み得る。フィードバックに基づいて、基地局は、基地局とワイヤレス通信デバイスとの間のダウンリンク経路損失を判断できる。
【００５０】
基地局は、限定加入者グループ（ＣＳＧ）の一部でないワイヤレス通信デバイスからのアクセスプローブの受信中に測定された受信アップリンク信号強度の記録を含み得る。近接度ベースのアクセスを許可された限定加入者グループ（ＣＳＧ）の一部でないワイヤレス通信デバイスが基地局とのアクティブな呼を行うとき、基地局は、パイロットチャネル上で受信されたアップリンク信号強度の記録をも含み得る。これらの記録は、ダウンリンク経路損失を判断するために使用され得る。以下において、これらの記録を使用してダウンリンク経路損失を判断することを図７と関してさらに詳細に説明する。
【００５１】
図３に、フェムトアクセスポイント３０２とワイヤレス通信３０６デバイスとの間のチャネルのいくつかを示す。図３のフェムトアクセスポイント３０２は、図１の基地局１０２の１つの構成であり得る。図３のワイヤレス通信デバイス３０６は、図１の第２のワイヤレスデバイス１０６の１つの構成であり得る。ビーコン３２０はフェムトアクセスポイント３０２からワイヤレス通信デバイス３０６に送られ得る。複数のビーコン周波数は、ビーコン３２０をブロードキャストするためにフェムトアクセスポイント３０２によって使用され得る。フェムトアクセスポイント３０２は、ワイヤレス通信デバイス３０６に情報を送信するためにダウンリンクパイロットチャネル３２２を使用できる。ビーコン３２０は、ワイヤレス通信デバイス３０６をダウンリンクパイロットチャネル３２２に向けることができる。フェムトアクセスポイント３０２は、ワイヤレス通信デバイス３０６に情報を送信するためにオーバーヘッド（制御）チャネル３２４を使用することもできる。ワイヤレス通信デバイス３０６は、逆アクセスチャネル３２６を使用して通信をフェムトアクセスポイント３０２に送り返すことができる。例えば、ワイヤレス通信デバイス３０６は、逆アクセスチャネル３２６を介して登録要求をフェムトアクセスポイント３０２に送ることができる。
【００５２】
図４は、フェムトアクセスポイント４０２の周囲に複数のカバレージエリア４３２、４３４をもつワイヤレス通信システム４００を示すブロック図である。図４のフェムトアクセスポイント４０２は、図１の基地局１０２の１つの構成であり得る。ワイヤレス通信システム４００は、第１のワイヤレス通信デバイス４０６ａと第２のワイヤレス通信デバイス４０６ｂとを含み得る。図４のワイヤレス通信デバイス４０６は、図１の第２のワイヤレス通信デバイス１０６の１つの構成であり得る。第１のワイヤレス通信デバイス４０６ａおよび第２のワイヤレス通信デバイス４０６ｂは、それぞれフェムトアクセスポイント４０２に対応する限定加入者グループ（ＣＳＧ）の一部でないことがある。
【００５３】
図２に関して上述したように、ビーコンの送信電力は、ワイヤレス通信デバイス４０６の経路損失／近接度を判断するために使用され得る。これを行うために、基地局４０２は、１つの時間期間中に低電力ビーコン４２８を送信し、別の時間期間中に高電力ビーコン４３０を送信できる。以下においてタイミング図を図５に関して説明する。低電力ビーコン４２８または高電力ビーコン４３０に続いて登録要求が受信されたかどうかに依存して、基地局４０２は、登録要求を送っているワイヤレス通信デバイス４０６の経路損失／近接度を判断し得る。低電力ビーコン４２８の使用は、フェムトアクセスポイント４０２の周囲に低電力サイクルカバレージエリア４３２をつくる。同様に、高電力ビーコン４３０の使用は、フェムトアクセスポイント４０２の周囲に高電力サイクルカバレージエリア４３４をつくる。
【００５４】
低電力サイクルカバレージエリア４３２内の面積は、フェムトアクセスポイント４０２の近接度しきい値１１８未満である、ワイヤレス通信デバイス４０６の近接度１１９を表し得る。経路損失は無線周波数（ＲＦ）と地理的状態とに依存するので、カバレージエリア４３２、４３４は完全な円でないことがある。同じく低電力サイクルカバレージエリア４３２によってカバーされない高電力サイクルカバレージエリア４３４内の面積は、フェムトアクセスポイント４０２の近接度しきい値１１８よりも大きいが、依然としてフェムトアクセスポイント４０２の範囲内にある、ワイヤレス通信デバイス４０６の近接度１１９を表し得る。
【００５５】
フェムトアクセスポイント４０２は低電力ビーコン４２８をブロードキャストし得る。第１のワイヤレス通信デバイス４０６ａは低電力サイクルカバレージエリア４３２内にあるので、第１のワイヤレス通信デバイス４０６ａは低電力ビーコン４２８を受信できる。第２のワイヤレス通信デバイス４０６ｂは低電力サイクルカバレージエリア４３２の外部にあるので、第２のワイヤレス通信デバイス４０６ｂは低電力ビーコン４２８を受信しないことがある。フェムトアクセスポイント４０２は、高電力ビーコン４３０を送信できる。第１のワイヤレス通信デバイス４０６ａと第２のワイヤレス通信デバイス４０６ｂの両方が高電力サイクルカバレージエリア４３４内にあるので、第１のワイヤレス通信デバイス４０６ａと第２のワイヤレス通信デバイス４０６ｂの両方が高電力ビーコン４３０ａ〜ｂを受信できる。ワイヤレス通信デバイス４０６の近接度１１９を判断するための高電力ビーコン４３０および低電力ビーコン４２８の使用を、以下において図５に関してさらに詳細に説明する。
【００５６】
一例として、低電力サイクルカバレージエリア４３２は、フェムトアクセスポイント４０２からの５０ｄＢの経路損失であり得る。従って、近接度しきい値１１８は５０ｄＢに設定され得る。高電力サイクルカバレージエリア４３４は、フェムトアクセスポイント４０２からの９０ｄＢの経路損失であり得る。
【００５７】
図５に、低電力ビーコン５３６および高電力ビーコン５３８の送信を示す。低電力ビーコン５３６および高電力ビーコン５３８はフェムトアクセスポイント４０２によって送信されることができる。近接度ベースのアクセスをサポートするために、ワイヤレス通信デバイス４０６の存在とワイヤレス通信デバイス４０６の近接度１１９とを検出するために階層化ビーコン設計が使用され得る。階層化ビーコン設計では、ビーコンは、すべてのビーコン周波数５４０ａ〜ｃ上で大部分の時間低い送信電力で放射され、すべてのビーコン周波数５４０ａ〜ｃ上で時々高い送信電力で放射され得る。階層化ビーコン設計は、米国特許出願第ＰＣＴ−ＵＳ２００９／０５４５４４号に開示されており、参照のために本明細書に組み込まれる。ビーコンは複数のビーコン周波数５４０上で送信されることができる。例えば、ビーコンは、第１のビーコン周波数５４０ａ、第２のビーコン周波数５４０ｂまたは第３のビーコン周波数５４０ｃ上で送信されることができる。
【００５８】
第１の低電力ビーコン５３６ａが第１のビーコン周波数５４０ａ上で放射されることができる。各放射ビーコン（すなわち、低電力ビーコン５３６と高電力ビーコン５３８の両方）は、ビーコン送信継続時間（ＢＴＤ）の間、放射されることができる。第１の低電力ビーコン５３６ａの後に、第２のビーコン周波数５４０ｂ上で第２の低電力ビーコン５３６ｂが放射されることができる。この後、第３の低電力ビーコン５３６ｃが第３のビーコン周波数５４０ｃ上で放射されることができる。この後、第４の低電力ビーコン５３６ｄが第１のビーコン周波数５４０ａ上で放射されることができ、その後、第５の低電力ビーコン５３６ｅが第２のビーコン周波数５４０ｂ上で放射されることができ、第６の低電力ビーコン５３６ｆが第３のビーコン周波数５４０ｃ上で放射されることができる。
【００５９】
この後、フェムトアクセスポイント４０２は、第１のビーコン周波数５４０ａ上で第１の高電力ビーコン５３８ａを放射でき、その後、第２のビーコン周波数５４０ｂ上で第２の高電力ビーコン５３８ｂを放射でき、第３のビーコン周波数５４０ｃ上で第３の高電力ビーコン５３８ｃを放射できる。この後、フェムトアクセスポイント４０２は、第１のビーコン周波数５４０ａ上で第７の低電力ビーコン５３６ｇを送信でき、その後、第２のビーコン周波数５４０ｂ上で第８の低電力ビーコン５３６ｈを送信でき、第３のビーコン周波数５４０ｃ上で第９の低電力ビーコン５３６ｉを送信できる。従って、フェムトアクセスポイント４０２は、低電力サイクルと高電力サイクルとを交互に繰り返すことができる。
【００６０】
低電力サイクルは、６つ未満の低電力ビーコン５３６の送信を含み得る。また、低電力サイクルは６つを越える低電力ビーコン５３６の送信を含み得る。高電力サイクルは、３つ未満の高電力ビーコン５３８の送信を含み得る。また、高電力サイクルは３つを越える高電力ビーコン５３８の送信を含み得る。
【００６１】
一例として、高電力ビーコン５３８は０．５〜２分ごとに放射されることができ、低電力ビーコン５３６は残りの時間に放射される。低電力サイクルは干渉を最小限に抑えることができ、高電力サイクルは、フェムトアクセスポイント４０２のカバレージエリアの遠いコーナーにあるワイヤレス通信デバイス４０６がフェムトアクセスポイント４０２に引きつけられることを保証する。
【００６２】
第１の時間期間５４２は低電力サイクルに対応でき、第２の時間期間５４３は高電力サイクルに対応できる。第１の時間期間５４２は１つまたは複数のビーコン周波数５４０上での低電力ビーコン５３６の送信をカバーし、第２の時間期間５４３は１つまたは複数のビーコン周波数５４０上での高電力ビーコン５３８の送信をカバーする。
【００６３】
ワイヤレス通信デバイス４０６がビーコンを検出すると、ワイヤレス通信デバイス４０６は、オーバーヘッドメッセージを通してフェムトアクセスポイント４０２のダウンリンク１１４の周波数にリダイレクトされることができる。この後、ワイヤレス通信デバイス４０６はフェムトアクセスポイント４０２のダウンリンクパイロット３２２を検出できる。代替的に、特定のビーコン周波数５４０上でのビーコンの存在は、他の周波数を探索するようにワイヤレス通信デバイス４０６をトリガし、それによって、フェムトアクセスポイント４０２のダウンリンクパイロット３２２および／または他のオーバーヘッドチャネルを検出できる。フェムトアクセスポイント４０２のダウンリンクパイロット３２２および／または他のオーバーヘッドチャネルの検出に伴い、ワイヤレス通信デバイス４０６は、逆アクセスチャネル３２６を使用してフェムトアクセスポイント４０２に登録要求を送ることができる。フェムトアクセスポイント４０２および／またはコアネットワーク１１０は、ワイヤレス通信デバイス４０６が限定加入者グループ（ＣＳＧ）に属するかどうか、またはワイヤレス通信デバイス４０６の近接度１１９のいずれかに依存して、登録要求を受け付けるかまたは拒否できる。
【００６４】
第１の時間期間５４２中に、受信された登録要求は、低電力ビーコン５３６の検出による可能性があり（すなわち、登録要求が低電力ビーコン５３６によってトリガされた）、受け付けられるべきである。これは、第１の時間期間５４２中に登録要求を送っているワイヤレス通信デバイス４０６の近接度１１９が低電力サイクルカバレージエリア４３２内にあるからである。第２の時間期間５４３中に、受信された登録要求は、高電力ビーコン５３８による可能性があり、拒否されるべきである。これは、第２の時間期間５４３中に登録要求を送っているワイヤレス通信デバイス４０６の近接度１１９が、低電力サイクルカバレージエリア４３４内にあるが、低電力サイクルカバレージエリア４３２内にはないからである。従って、フェムトアクセスポイント４０２が登録要求を受信すると、フェムトアクセスポイント４０２は、登録要求を送っているワイヤレス通信デバイス４０６の近接度１１９を近似するために、登録要求を受信するより前の短い間隔中にビーコン周波数５４０上で使用された電力レベルを判断できる。
【００６５】
一例として、ｃｄｍａ２０００  １ｘＲＴＴフェムトセルをフェムトアクセスポイント４０２と見なす。各ビーコン周波数５４０上でのビーコン送信継続時間（ＢＴＤ）は約０．５秒であることができ、その後、ビーコンは別のビーコン周波数５４０にホッピングする。１ｘＲＴＴモバイルは、ビーコンチャネル上で送られたオーバーヘッドメッセージを読み取り、フェムトセルのダウンリンク周波数に同調できる。１ｘＲＴＴモバイルは、ダウンリンクパイロットを検出し、オーバーヘッドメッセージの読取りを開始し、フェムトセルへの登録を実行するためにアクセスプローブを送ることができる。アクセスプローブは登録要求を含み得る。以下においてアクセスプローブを図７に関してさらに詳細に説明する。
【００６６】
フェムトセルダウンリンク周波数上ですべてのオーバーヘッドメッセージを読み取るのに約１〜１．５秒かかることがあり、その後、登録が実行される。従って、フェムトセルは、アクセスプローブが受信される約２秒前に高電力ビーコン５３８または低電力ビーコン５３６が放射されたかどうかを判断する必要があり得る。誤った決定を回避するために、追加の時間マージンが使用され得る。一構成では、登録が低電力ビーコン５３６の検出によるものであったか高電力ビーコン５３８の検出によるものであったかを判断するために、アクセスプローブが受信される約１秒前を中心とする幅約２秒のタイムウィンドウが使用され得る。
【００６７】
信頼性を保証するために、階層化ビーコン波形は慎重にクラフティングされることができる。例えば、低電力ビーコン５３６がすべてのビーコン周波数５４０上で連続的に送られることができ、この後高電力ビーコン５３８がすべてのビーコン周波数５４０上で連続的に送られることができる。従って、ワイヤレス通信デバイス４０６がどのビーコン周波数５４０からフェムトセルダウンリンク周波数にリダイレクトされたかにかかわらず、登録要求より前のビーコン電力は妥当な精度で判断されることができる。ワイヤレス通信デバイスの一意の識別情報（例えば、国際モバイル加入者識別情報（ＩＭＳＩ））と、関係する規格において指定されたプロシージャとに基づいてマクロ基地局１０８と通信する間、ワイヤレス通信デバイス４０６が最初にアイドルであった周波数（本明細書ではキャンピング周波数と呼ぶ）を判断することによって、信頼性はさらに高められることができる。この後、フェムトアクセスポイント４０２は、ワイヤレス通信デバイス４０６の近接度１１９を推定するために、その特定の周波数上で送信されたビーコン電力レベル（高または低）を使用し得る。
【００６８】
図６は、近接度ベースのアクセス制御のためのより詳細な方法６００の流れ図である。方法６００はフェムトアクセスポイント４０２によって実行されることができる。フェムトアクセスポイント４０２は登録要求を受信できる（６０２）。この後、フェムトアクセスポイント４０２は、登録要求が、限定加入者グループ（ＣＳＧ）の一部であるワイヤレス通信デバイス４０６からのものであるかどうかを判断できる。ワイヤレス通信デバイス４０６が限定加入者グループ（ＣＳＧ）の一部である場合、フェムトアクセスポイントは、ワイヤレス通信デバイス４０６へのアクセスを可能にするために正規のプロシージャに従うことができる。
【００６９】
ワイヤレス通信デバイス４０６が限定加入者グループ（ＣＳＧ）の一部でない場合、フェムトアクセスポイント４０２は、登録要求が低電力ビーコン５３６によってトリガされたのか高電力ビーコン５３８によってトリガされたのかを判断できる（６０８）。この後、フェムトアクセスポイント４０２は、フェムトアクセスポイント４０２が、限定加入者グループ（ＣＳＧ）の一部でないワイヤレス通信デバイス４０６からの登録要求を受け付ける／拒否する権限を有するかどうかを判断できる。
【００７０】
フェムトアクセスポイント４０２が、限定加入者グループ（ＣＳＧ）の一部でないワイヤレス通信デバイス４０６からの登録要求を受け付ける／拒否する権限を有する場合、フェムトアクセスポイント４０２は、登録要求が低電力ビーコン４３６によってトリガされた場合に、近接度ベースのアクセスを可能にできる（６１２）、他の場合（例えば、登録要求が高電力ビーコン４３８によってトリガされた場合）に登録要求を拒否する。この後、フェムトアクセスポイント４０２は登録応答（登録受付けまたは登録拒否）をワイヤレス通信デバイス４０６に送ることができる（６１４）。
【００７１】
フェムトアクセスポイント４０２が、限定加入者グループ（ＣＳＧ）の一部でないワイヤレス通信デバイス４０６からの登録要求を受け付ける／拒否する権限を有しない場合、フェムトアクセスポイント４０２は、ワイヤレス通信デバイス４０６が近接度ベースのアクセスのための可能性のある候補であるかどうか（すなわち、登録要求が低電力ビーコン４３６によってトリガされたのか高電力ビーコン４３８によってトリガされたのか）の指示と一緒に、登録要求をコアネットワーク１１０に渡すことができる（６１６）。この後、フェムトアクセスポイント４０２はコアネットワーク１１０から登録応答を受信できる（６１８）。登録応答は、ワイヤレス通信デバイス４０６に登録受付けを送るべきか登録拒否を送るべきかをフェムトアクセスポイント４０２に示すことができる。この後、フェムトアクセスポイント４０２はワイヤレス通信デバイス４０６に登録応答を送ることができる（６１４）。
【００７２】
図７は、ワイヤレス通信デバイス７０６とフェムトアクセスポイント７０２との間の通信を示す。図７のワイヤレス通信デバイス７０６は、図１の第２のワイヤレス通信デバイス１０６の１つの構成であることができる。図７のフェムトアクセスポイント７０２は、図１の基地局１０２の１つの構成であることができる。ワイヤレス通信デバイス７０６は、アップリンク７１２を介してアクセスプローブ７４４をフェムトアクセスポイント７０２に送ることができる。アクセスプローブ７４４はフィードバック７４６を含み得る。フィードバック７４６は、チップごとのダウンリンクパイロット信号エネルギー（Ｅｃｐ）および／またはパイロット強度（Ｅｃｐ／Ｉｏ）など、受信ダウンリンクパイロットチャネル品質情報７４８を含み得る。上述したように、パイロット強度（Ｅｃｐ／Ｉｏ）は、総受信機電力（Ｉｏ）および総受信電力に対するチップごとのパイロットエネルギーの比である。また、アクセスプローブ７４４は登録メッセージ７５０を含み得る。登録メッセージ７５０は登録要求であり得る。チップごとの信号エネルギー（Ｅｃｐ）および／またはパイロット強度（Ｅｃｐ／Ｉｏ）など、受信ダウンリンクパイロットチャネル品質情報７４８のような情報がまだ規格中に存在しない場合、そのような情報を含むように、登録メッセージ７５０中に新しいフィールドが定義されることができる。
【００７３】
アクセスプローブ７４４は、必要とされる情報を常に含むとは限らない。例えば、ｃｄｍａ２０００において、アクセスプローブ７４４は、パイロット強度（Ｅｃｐ／Ｉｏ）を含むが、チップごとの受信ダウンリンクパイロット信号エネルギー（Ｅｃｐ）を含まない。ダウンリンク経路損失を判断するために、チップごとの受信ダウンリンクパイロット信号エネルギー（Ｅｃｐ）とパイロット強度（Ｅｃｐ／Ｉｏ）の両方が必要とされる。
【００７４】
フェムトアクセスポイント７０２は、ワイヤレス通信デバイス７０６からアクセスプローブ７４４を受信し得る。フェムトアクセスポイント７０２は、それ自体のダウンリンクパイロット送信電力（Ｅｃｐ＿ｔｘ）７４９を知っている。ワイヤレス通信デバイス７０６からのフィードバック７４６とパイロット送信電力７４９とに基づいて、フェムトアクセスポイント７０２は、フェムトアクセスポイント７０２とワイヤレス通信デバイス７０６との間のダウンリンク経路損失７５１を、アクセスプローブ７４４から取得されたチップごとのパイロットエネルギー（Ｅｃｐ）とダウンリンクパイロット送信電力（Ｅｃｐ＿ｔｘ）７４９との間の相違として判断できる。アクセスプローブ７４４がパイロット強度（Ｅｃｐ／Ｉｏ）と総受信機電力Ｉｏの両方を報告した場合、チップごとのダウンリンクパイロットエネルギー（Ｅｃｐ）が導出され、ダウンリンク経路損失７５１を計算するために使用され得る。この後、フェムトアクセスポイント７０２は、ダウンリンク経路損失７５１を使用し、ワイヤレス通信デバイス７０２への近接度ベースのアクセスを可能にすべきかどうかを決定できる。ダウンリンク経路損失７５１は近接度１１９とも呼ばれ得る。
【００７５】
フェムトアクセスポイント７０２は、限定加入者グループ（ＣＳＧ）の一部でないワイヤレス通信デバイス７０６からのアクセスプローブ７４４の受信中に測定された、受信アップリンク信号強度の記録７５２を含み得る。また、フェムトアクセスポイントは近接度ベースのアクセスを許可されたワイヤレス通信デバイス７０６がフェムトアクセスポイント７０２とのアクティブな呼を行うとき、パイロットチャネル上で受信されたアップリンク信号強度の記録７５４を含み得る。フェムトアクセスポイント７０２は、自己学習によって近接度検出を間に合わせに作る（improvise）ために記録７５２、７５４を使用し得る。例えば、近くのワイヤレス通信デバイス７０６から予想されるアップリンク信号強度に関する長期情報を収集することによって、フェムトアクセスポイント７０２は、近接度ベースのアクセスのための決定を行える。限定加入者グループ（ＣＳＧ）の一部でないワイヤレス通信デバイスからアクセスプローブが受信されたときの受信アップリンク信号強度が、予想されるアップリンク信号強度を超えた場合、近接度ベースのアクセスが許可されることになる。
【００７６】
また、フェムトアクセスポイント７０２はアクティブな呼の間に、近接度アクセスを許可されたワイヤレス通信デバイス７０６に順方向リンクパイロット強度測定報告を要求することによって、そのワイヤレス通信デバイス７０６までのダウンリンク経路損失７５１を判断できる。この経路損失情報を使用し、フェムトアクセスポイントは、アクセスを許可する決定が正しかったか否かを決定できる。この情報は、将来の使用のために近接度ベースのアクセスを改良するために使用されることができる。例えば、限定加入者グループ（ＣＳＧ）の一部でないワイヤレス通信デバイスが近接度ベースのアクセスを許可された後、それらのワイヤレス通信デバイスの経路損失が、通常、近接度しきい値１１８よりも高かったと、フェムトアクセスポイント７０２が判断した場合、フェムトアクセスポイント７０２は、近接度しきい値１１８（すなわち、将来の誤った決定を回避するために近接度ベースのアクセスが許可される経路損失）を低減できる。
【００７７】
フェムトアクセスポイント７０２は、低減送信電力期間７５５と停止期間７５７とを含み得る。低減送信電力期間７５５は、ワイヤレス通信デバイスに登録拒否７５９を送った後、フェムトアクセスポイント７０２が１つまたは複数の順方向リンクチャネル上で順方向リンク送信電力を低減する時間量を指し得る。送信電力低減は、フェムトアクセスポイント順方向リンクの周波数および／またはビーコン周波数上に適用されることができる。停止期間７５７は、登録拒否７５９を送った後、フェムトアクセスポイント７０２がビーコンを送信することを中止する時間量を指す。フェムトアクセスポイント７０２に接続されている限定加入者グループ（ＣＳＧ）のワイヤレス通信デバイスがない場合、停止はフェムトアクセスポイントダウンリンク周波数上にも適用されることができる。以下において低減送信電力期間７５５を図９に関してさらに詳細に説明する。以下において停止期間７５７を図１０に関してさらに詳細に説明する。フェムトアクセスポイント７０２は、ダウンリンク７１４を介してワイヤレス通信デバイス７０６に登録応答７５６を送り得る。登録応答７５６は、登録受付け７５８または登録拒否７５９を含み得る。
【００７８】
図８は、近接度ベースのアクセス制御を可能にすべきかどうかを判断するための方法８００の流れ図である。方法８００はフェムトアクセスポイント７０２によって実行され得る。フェムトアクセスポイント７０２は、登録のためにワイヤレス通信デバイス７０６によって送られたアクセスプローブ７４４を受信できる（８０２）。ワイヤレス通信デバイス７０６は、フェムトアクセスポイント７０２に対応する限定加入者グループ（ＣＳＧ）の一部でないことがある。フェムトアクセスポイント７０２は、アクセスプローブ７４４が受信ダウンリンクパイロットチャネル品質情報７４８を含むかどうかを判断できる（８０４）。
【００７９】
アクセスプローブ７４４が受信ダウンリンクパイロットチャネル品質情報７４８（例えば、Ｅｃｐ、Ｅｃｐ／ＩｏおよびＩｏ）を含む場合、フェムトアクセスポイント７０２は、フェムトアクセスポイント７０２によって知られる、受信ダウンリンクパイロットエネルギー（Ｅｃｐ）、パイロット強度（Ｅｃｐ／Ｉｏ）および総受信電力（Ｉｏ）および／またはパイロット送信電力（Ｅｃｐ＿ｔｘ）７４９に基づいて、フェムトアクセスポイント７０２とワイヤレス通信デバイス７０６との間のダウンリンク経路損失７５１を判断できる（８０６）。フェムトアクセスポイント７０２とワイヤレス通信デバイス７０６との間のダウンリンク経路損失７４９が近接度しきい値１１８未満である場合、フェムトアクセスポイント７０２はワイヤレス通信デバイス７０６の近接度ベースのアクセスを許可できる（８０８）。
【００８０】
アクセスプローブ７４４が受信ダウンリンクパイロットチャネル品質情報７４８を含まない場合、フェムトアクセスポイント７０２は、近接度ベースのアクセスを可能にされたワイヤレス通信デバイスによって行われた後続の呼に対して、アクセスプローブ７４４の受信中に測定されたアップリンク信号強度の記憶された記録７５２と、パイロットチャネル上で受信されたアップリンク信号強度の記憶された記録７５４とに基づいて、ワイヤレス通信デバイス７０６の近接度ベースのアクセスを可能にすべきかどうかを判断できる（８１０）。アクセスプローブ７４４が受信ダウンリンクパイロットチャネル品質情報７４８を含む場合でも、フェムトアクセスポイント７０２は、記録されたアップリンク信号強度７５２、７５４と受信ダウンリンクパイロットチャネル品質情報７４８とを使用し、近接度ベースのアクセスを許可することに関する決定を行うことができることに留意されたい。
【００８１】
図９は、ワイヤレス通信デバイス７０６に対して近接度ベースのアクセスが許可され得ないときに、ワイヤレス通信デバイス７０６に課せられる干渉を最小限に抑えるための方法９００の流れ図である。方法９００はフェムトアクセスポイント７０２によって実行され得る。典型的なダウンリンクチャネルに加えて、フェムトアクセスポイント７０２はビーコンをブロードキャストできる（９０２）。この後、フェムトアクセスポイント７０２は、アイドル状態のワイヤレス通信デバイス７０６から登録要求を受信できる（９０４）。ワイヤレス通信デバイス７０６は、フェムトアクセスポイント７０２に対応する限定加入者グループ（ＣＳＧ）の一部でないことがある。従って、登録要求は、近接度ベースのアクセス要求である。近接度ベースのアクセスは可能にされないことがあり、および／または近接度情報は利用可能でないことがある。フェムトアクセスポイント７０２またはコアネットワーク１１０は、ワイヤレス通信デバイス７０６の登録要求を拒否することを選択できる。
【００８２】
フェムトアクセスポイント７０２は、登録拒否７５９をアイドル状態のワイヤレス通信デバイス７０６に送ることができる（９０６）。登録拒否時に、ワイヤレス通信デバイス７０６は、短い持続時間の間フェムトアクセスポイント７０２のダウンリンク７１４の周波数および／またはビーコン周波数５４０のパイロットスクランブリングコード（すなわち、パイロット擬似ランダム雑音（ＰＮ）コード）を禁止でき、このスクランブリングコードによるフェムトアクセスポイント７０２へのアイドルハンドオフおよび登録を実行しない。ワイヤレス通信また、デバイス７０６は短い持続時間の間、全ダウンリンク７１４の周波数および／またはビーコンを禁止できる。ただし、禁止期間が過ぎた後、ワイヤレス通信デバイス７０６は、強いフェムトアクセスポイント７０２のダウンリンクパイロット信号および／またはビーコン周波数５４０を再び見つけることができる。この後、ワイヤレス通信デバイス７０６は、フェムトアクセスポイント７０２へのアイドルハンドオフを実行し、再び登録を試みることができる。フェムトアクセスポイント７０２は登録要求を拒否し、サイクルが反復する。このループは、ワイヤレス通信デバイス７０６のバッテリー寿命を消耗させることになる。
【００８３】
ループを防ぐために、フェムトアクセスポイント７０２は、低減送信電力期間７５５の間、送信電力を低減できる。フェムトアクセスポイント７０２は、パイロットチャネル３２２、オーバーヘッド（制御）チャネル３２４およびトラフィックチャネルなどの異なるダウンリンクチャネル上で送信電力を違えて低減できる（９０８）。または、フェムトアクセスポイント７０２は総送信電力を低減できる。送信電力低減は、ダウンリンク周波数および／またはビーコン周波数５４０（１つまたは複数）上に適用されることができる。フェムトアクセスポイント７０２は、低減送信電力期間７５５中にワイヤレス通信デバイス７０６から受信された登録要求の数に基づいて、低減送信電力期間７５５を適応させることができる（９１０）。
【００８４】
例えば、低減送信電力期間７５５が過ぎた後、フェムトアクセスポイント７０２が通常の電力レベルで送信を再開すると、非限定加入者グループ（ＣＳＧ）ワイヤレス通信デバイス７０６が依然としてフェムトアクセスポイント７０２の近傍内にある場合、ワイヤレス通信デバイス７０６は再びフェムトアクセスポイント７０２に再登録することを試みることができる。この情報は、低減送信電力期間７５５を延長するために使用できる。低減送信電力期間７５５中に１つまたは複数の非限定加入者グループ（ＣＳＧ）のワイヤレス通信デバイス７０２から受信された登録要求の数が多い場合、低減送信電力期間７５５が増加されることができ、および／または送信電力が低減されることができる。
【００８５】
図１０は、ワイヤレス通信デバイス７０６に対して近接度ベースのアクセスが許可され得ないときにワイヤレス通信デバイス７０６に課せられる干渉を最小限に抑えるための別の方法１０００の流れ図である。方法１０００はフェムトアクセスポイント７０２によって実行され得る。フェムトアクセスポイント７０２は、ビーコンをブロードキャストできる（１００２）。フェムトアクセスポイント７０２は、ワイヤレス通信デバイス７０６から登録要求を受信できる（１００４）。ワイヤレス通信デバイス７０６は、フェムトアクセスポイント７０２に対応する限定加入者グループ（ＣＳＧ）の一部でないことがある。
【００８６】
フェムトアクセスポイント７０２は、近接度ベースのアクセスが可能にされない、コアネットワーク１１０が拒否を示す、十分な近接度ベースのアクセス情報が利用可能でないなどのために、登録要求を拒否することを判断できる。フェムトアクセスポイント７０２は、登録拒否７５９をワイヤレス通信デバイス７０６に送ることができる（１００６）。上述したように、この後、ワイヤレス通信デバイス７０６は、ビーコン検出、アイドルハンドオフ、登録要求および登録拒否のループに入り得る。このループを回避するために、フェムトアクセスポイント７０２は、停止期間７５７の間、ビーコン周波数５４０上での送信を停止できる（１００８）。
【００８７】
ビーコン周波数５４０上での送信を停止すること（１００８）は、フェムトアクセスポイント７０２をもつ家庭のそばをドライブしているかまたは歩いているワイヤレス通信デバイス７０６に特に有用であり得る。これらのワイヤレス通信デバイス７０６は、それらが短い持続時間の間のみフェムトアクセスポイント７０２の近傍にあるとき、最初の登録の試みの後、フェムトアクセスポイント７０２を検出しない。フェムトアクセスポイント７０２は、停止期間７５７中にワイヤレス通信デバイス７０６から受信された登録要求の数に基づいて、停止期間７５７を適応させることができる（１０１０）。例えば、停止期間７５７の終了時に、フェムトアクセスポイント７０２が通常の電力レベルでビーコン送信を再開すると、ワイヤレス通信デバイス７０６が依然としてフェムトアクセスポイント７０２の近傍内にある場合、ワイヤレス通信デバイス７０６は、フェムトアクセスポイント７０２に再登録することを試みることができる。この情報は停止期間７５７を延長するために使用できる。
【００８８】
また、この停止機構は、フェムトアクセスポイント７０２とアイドル状態またはアクティブ状態で接続された限定加入者グループ（ＣＳＧ）ワイヤレス通信デバイスがないときに、フェムトアクセスポイントのダウンリンク周波数上での送信を停止するために適用されることができる。これは、限定加入者グループ（ＣＳＧ）の一部でないワイヤレス通信デバイス７０６がフェムトアクセスポイント７０２によってアクセスを拒否された後、フェムトアクセスポイントダウンリンク送信が、限定加入者グループ（ＣＳＧ）の一部でないワイヤレス通信デバイス７０６のダウンリンクに干渉を生じているときに有用である。
【００８９】
図１１に、多入力多出力（ＭＩＭＯ）システム１１８０中の２つワイヤレスデバイスを示す。第１のワイヤレスデバイス１１６０は基地局であることができ、第２のワイヤレスデバイスはワイヤレス通信デバイスであることができる。第１のワイヤレスデバイス１１６０では、いくつかのデータストリームのトラフィックデータが、データソース１１６２から送信（ＴＸ）データプロセッサ１１６３に供給される。各データストリームは、この後、それぞれの送信アンテナを介して送信されることができ。
【００９０】
ＴＸデータプロセッサ１１６３は、符号化データを供給するために、そのデータストリーム用に選択された特定のコーディング方式に基づいて、データストリームごとにトラフィックデータをフォーマット化し、符号化し、インターリーブする。各データストリームの符号化データは、ＯＦＤＭまたは他の好適な技法を使用してパイロットデータで多重化され得る。パイロットデータは、典型的には、知られている方法で処理される既知のデータパターンであり、チャネル応答を推定するために受信機システムにおいて使用され得る。この後、各データストリームの多重化されたパイロットデータおよび符号化データは、変調シンボルを供給するために、そのデータストリーム用に選択された特定の変調方式（例えば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ１１６４によって実行される命令によって決定され得る。データメモリ１１６５は、プロセッサ１１６４または第１のワイヤレスデバイス１１６０の他の構成要素によって使用されるプログラムコード、データおよび他の情報を記憶できる。
【００９１】
この後、すべてのデータストリームの変調シンボルがＴＸ  ＭＩＭＯプロセッサ１１６６に供給され、ＴＸ  ＭＩＭＯプロセッサ１１６６はさらに（例えば、ＯＦＤＭ用に）その変調シンボルを処理できる。この後、ＴＸ  ＭＩＭＯプロセッサ１１６６は、ＮＴ変調シンボルストリームをＮＴトランシーバ１１６７ａ〜１１６７ｔに供給する。いくつかの態様では、ＴＸ  ＭＩＭＯプロセッサ１１６６が、データストリームのシンボルと、シンボルの送信元のアンテナとにビームフォーミング重みを付加する。
【００９２】
各トランシーバ１１６７は、それぞれのシンボルストリームを受信し、処理して、１つまたは複数のアナログ信号を与え、さらに、それらのアナログ信号を調整（例えば、増幅、フィルタ処理、およびアップコンバート）して、ＭＩＭＯチャネルを介して送信するのに適した変調信号を与える。この後、送信機１１６７ａ〜１１６７ｔからのＮＴ変調信号は、それぞれＮＴアンテナ１１６８ａ〜１１６８ｔから送信される。
【００９３】
第２のワイヤレスデバイス１１６１では、送信された変調信号はＮＲアンテナ１１６９ａ〜ｒによって受信され、各アンテナ１１６９からの受信信号は、それぞれのトランシーバ（ＸＣＶＲ）１１７０ａ〜ｒに供給される。各トランシーバ１１７０は、それぞれの受信信号を調整（例えば、フィルタリング、増幅、およびダウンコンバート）し、調整された信号をデジタル化して、サンプルを供給し、さらにそれらのサンプルを処理して、対応する「受信」シンボルストリームを供給する。
【００９４】
この後、受信（ＲＸ）データプロセッサ１１７１は、特定の受信機処理技法に基づいてＮＲトランシーバ１１７０からＮＲ受信シンボルストリームを受信し、処理して、ＮＴ「検出」シンボルストリームを与える。この後、ＲＸデータプロセッサ１１７１は、各検出シンボルストリームを復調し、デインターリーブし、復号して、データストリームに対するトラフィックデータを回復する。ＲＸデータプロセッサ１１７１による処理は、第１のワイヤレスデバイス１１６０におけるＴＸ  ＭＩＭＯプロセッサ１１６６およびＴＸデータプロセッサ１１６３によって実行される処理を補完するものである。
【００９５】
プロセッサ１１７２は、どのプリコーディング行列を使用すべきかを周期的に判断する（後述）。プロセッサ１１７２は、行列インデックス部とランク値部とを備える逆方向リンクメッセージを作成する。データメモリ１１７３は、プロセッサ１１７２または第２のワイヤレスデバイス１１６１の他の構成要素によって使用されるプログラムコード、データおよび他の情報を記憶できる。逆方向リンクメッセージは、通信リンクおよび／または受信データストリームに関する様々なタイプの情報を備え得る。この後、逆方向リンクメッセージは、データソース１１７５からいくつかのデータストリームのトラフィックデータをも受信するＴＸデータプロセッサ１１７４によって処理され、変調器１１７６によって変調され、トランシーバ１１７０ａ〜ｒによって調整され、第１のワイヤレスデバイス１１６０に戻される。
【００９６】
第１のワイヤレスデバイス１１６０では、第２のワイヤレスデバイス１１６１からの変調信号は、アンテナ１１６６によって受信され、トランシーバ１１６７によって調整され、復調器（ＤＥＭＯＤ）１１７７によって復調され、ＲＸデータプロセッサ１１７８によって処理されて、第２のワイヤレスデバイス１１６１によって送信された逆方向リンクメッセージが抽出される。この後、プロセッサ１１６４は、ビーム形成重みを決定するためにどのプリコーディング行列を使用すべきかを判断し、この後、抽出されたメッセージを処理する。
【００９７】
図１１はまた、通信構成要素が、本明細書で教示するビーコン関連動作を実行する１つまたは複数の構成要素を含み得ることを示す。例えば、ビーコン制御構成要素１１７９は、本明細書で教示するように、第１のワイヤレスデバイス１１６０のプロセッサ１１６４および／または他の構成要素と協力して、ビーコン信号を別のデバイス（例えば、第２のワイヤレスデバイス１１６１）に送り、別のデバイス（例えば、別の基地局）からビーコン信号を受信できる。同様に、ビーコン制御構成要素１１８０は、第２のワイヤレスデバイス１１６１のプロセッサ１１７２および／または他の構成要素と協力して、別のデバイス（例えば、第１のワイヤレスデバイス１１６０）からビーコン信号を受信できる。各ワイヤレスデバイス１１６０、１１６１について、記載の構成要素の２つ以上の機能が単一の構成要素によって提供され得ることを認識されたい。例えば、単一の処理構成要素がビーコン制御構成要素１１７９およびプロセッサ１１６４の機能を提供し得、また、単一の処理構成要素がビーコン制御構成要素１１８０およびプロセッサ１１７２の機能を提供できる。
【００９８】
図１２に、基地局１２０２内に含まれ得るいくつかの構成要素を示す。基地局は、アクセスポイント、ブロードキャスト送信機、ノードＢ、進化型ノードＢ、フェムトアクセスポイントなどとも呼ばれることがあり、それらの機能の一部または全部を含み得る。基地局１２０２はプロセッサ１２０３を含む。プロセッサ１２０３は、汎用シングルまたはマルチチップマイクロプロセッサ（例えば、ＡＲＭ）、特殊目的マイクロプロセッサ（例えば、デジタル信号プロセッサ（ＤＳＰ））、マイクロコントローラ、プログラマブルゲートアレイなどであり得る。プロセッサ１２０３は中央処理ユニット（ＣＰＵ）と呼ばれ得る。図１２の基地局１２０２には単一のプロセッサ１２０３のみが示されるが、代替構成では、プロセッサ（例えば、ＡＲＭとＤＳＰ）の組合せが使用され得る。
【００９９】
基地局１２０２はまたメモリ１２０５を含む。メモリ１２０５は、電子情報を記憶することが可能な任意の電子構成要素であり得る。メモリ１２０５は、ランダムアクセスメモリ（ＲＡＭ）、読取り専用メモリ（ＲＯＭ）、磁気ディスク記憶メディア、光記憶メディア、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【０１００】
データ１２０７および複数の命令１２０９はメモリ１２０５に記憶され得る。これら命令１２０９は、本明細書で開示する方法を実施するためにプロセッサ１２０３によって実行可能であり得る。命令１２０９を実行することは、メモリ１２０５に記憶されたデータ１２０７の使用を含み得る。プロセッサ１２０３が命令１２０９を実行すると、命令１２０９ａの様々な部分がプロセッサ１２０３上にロードされ得、様々ないくつかのデータ１２０７ａがプロセッサ１２０３上にロードされ得る。
【０１０１】
また、基地局１２０２は基地局１２０２との間での信号の送信および受信を可能にするために、送信機１２１１と受信機１２１３とを含み得る。送信機１２１１と受信機１２１３とはトランシーバ１２１５と総称され得る。アンテナ１２１７はトランシーバ１２１５に電気的に結合され得る。基地局１２０２はまた、複数の送信機、複数の受信機、複数のトランシーバおよび／または追加のアンテナ（図示せず）を含み得る。
【０１０２】
基地局１２０２の様々な構成要素は、パワーバス、制御信号バス、ステータス信号バス、データバスなどを含み得る、１つまたは複数のバスによって互いに結合され得る。明快のために、図１２では様々なバスはバスシステム１２１９として示してある。
【０１０３】
図１３に、ワイヤレス通信デバイス１３０６内に含まれ得るいくつかの構成要素を示す。ワイヤレス通信デバイス１３０６は、アクセス端末、移動局、ユーザ機器（ＵＥ）などであり得る。ワイヤレス通信デバイス１３０６はプロセッサ１３０３を含む。プロセッサ１３０３は、汎用シングルまたはマルチチップマイクロプロセッサ（例えば、ＡＲＭ）、特殊目的マイクロプロセッサ（例えば、デジタル信号プロセッサ（ＤＳＰ））、マイクロコントローラ、プログラマブルゲートアレイなどであり得る。プロセッサ１３０３は中央処理ユニット（ＣＰＵ）と呼ばれ得る。図１３のワイヤレス通信デバイス１３０６には単一のプロセッサ１３０３のみが示されるが、代替構成では、プロセッサ（例えば、ＡＲＭとＤＳＰ）の組合せが使用され得る。
【０１０４】
ワイヤレス通信デバイス１３０６はメモリ１３０５も含む。メモリ１３０５は、電子情報を記憶することが可能な任意の電子構成要素であり得る。メモリ１３０５は、ランダムアクセスメモリ（ＲＡＭ）、読取り専用メモリ（ＲＯＭ）、磁気ディスク記憶メディア、光記憶メディア、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【０１０５】
メモリ１３０５にデータ１３０７および複数の命令１３０９を記憶できる。これら命令１３０９は、本明細書で開示する方法を実施するためにプロセッサ１３０３によって実行可能であり得る。命令１３０９を実行することは、メモリ１３０５に記憶されたデータ１３０７の使用を含み得る。プロセッサ１３０３が命令１３０９を実行すると、命令１３０９ａの様々な部分がプロセッサ１３０３上にロードされ得、様々ないくつかのデータ１３０７ａがプロセッサ１３０３上にロードされ得る。
【０１０６】
ワイヤレス通信デバイス１３０６はまた、ワイヤレス通信デバイス１３０６との間での信号の送信および受信を可能にするために、送信機１３１１と受信機１３１３とを含み得る。送信機１３１１と受信機１３１３とはトランシーバ１３１５と総称され得る。アンテナ１３１７はトランシーバ１３１５に電気的に結合され得る。ワイヤレス通信デバイス１３０６は、複数の送信機、複数の受信機、複数のトランシーバ、および／または追加のアンテナ（図示せず）をも含み得る。
【０１０７】
ワイヤレス通信デバイス１３０６の様々な構成要素は、パワーバス、制御信号バス、ステータス信号バス、データバスなどを含むことができ得る１つまたは複数のバスシステムによって一緒に結合され得る。明快のために、図１３では様々なバスはバスシステム１３１９として示してある。
【０１０８】
本明細書に記載の技法は、直交多重化方式に基づく通信システムを含む様々な通信システムに使用され得る。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用できる。一般に、変調シンボルは、ＯＦＤＭでは周波数領域で、ＳＣ−ＦＤＭＡでは時間領域で送られる。
【０１０９】
「判断」という用語は、多種多様なアクションを包含し、従って、「判断」は、計算、算出、処理、導出、調査、探索（例えば、テーブル、データベースまたは別のデータ構造での探索）、確認などを含むことができる。また、「判断」は、受信（例えば、情報を受信すること）、アクセス（例えば、メモリ中のデータにアクセスすること）などを含むことができる。また、「判断」は、解決、選択、選出、確立などを含むことができる。
【０１１０】
「に基づいて」という句は、別段に明示されていない限り、「のみに基づいて」を意味しない。言い換えれば、「に基づいて」という句は、「のみに基づいて」と「に少なくとも基づいて」の両方を表す。
【０１１１】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、例えば、ＤＳＰとマイクロプロセッサとの組合せ、複数のマイクロプロセッサ、ＤＳＰコアと連携する１つまたは複数のマイクロプロセッサ、あるいは他のそのような構成を指し得る。
【０１１２】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタなど、様々なタイプのプロセッサ可読媒体を指すことがある。プロセッサがメモリから情報を読み取り、および／または情報をメモリに書き込むことができる場合、メモリはプロセッサと電子的に通信していると言われる。プロセッサに一体化されたメモリは、プロセッサと電気的に繋がれている。
【０１１３】
「命令」および「コード」という用語は、任意のタイプの（１つまたは複数の）コンピュータ可読ステートメントを含むものと広く解釈されたい。例えば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１１４】
本明細書で説明する機能は、ハードウェアによって実行されているソフトウェアまたはファームウェアで実施され得る。機能は、１つまたは複数の命令としてコンピュータ可読媒体上に記憶され得る。「コンピュータ可読媒体」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイスもしくは他の磁気記憶デバイス、あるいは命令またはデータ構造の形態で所望のプログラムコードを担持または記憶するために使用され得、コンピュータによってアクセスできる任意の他の媒体を備え得る。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー(登録商標)ディスク（disk）およびブルーレイ（登録商標）ディスク（disc）を含み、ディスク（disk）は、通常、データを磁気的に再生し、ディスク（disc）は、データをレーザで光学的に再生する。
【０１１５】
本明細書で開示する方法は、説明した方法を達成するための１つまたは複数のステップまたはアクションを備える。本方法のステップおよび／またはアクションは、特許請求の範囲から逸脱することなく互いに交換され得る。すなわち、本明細書で説明する方法の適切な動作のためにステップまたはアクションの特定の順序が必要とされない限り、特定のステップおよび／またはアクションの順序および／または使用は、特許請求の範囲を逸脱することなく変形できる。
【０１１６】
さらに、図２、図６および図８〜図１０によって示されたものなど、本明細書で説明する方法および技法を実行するためのモジュールおよび／または他の適切な手段は、デバイスによってダウンロードおよび／または他の方法で取得され得ることを認識されたい。例えば、デバイスは、本明細書で説明する方法を実行するための手段の転送を可能にするために、サーバに結合され得る。代替的に、本明細書で説明する様々な方法は、記憶手段をデバイスに結合するかまたは与えるときにデバイスが様々な方法を獲得できるように、記憶手段（例えば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって与えることができる。
【０１１７】
特許請求の範囲は、上記の正確な構成および構成要素に限定されないことを理解されたい。特許請求の範囲の範囲を逸脱することなく、本明細書で説明するシステム、方法および装置の構成、動作および詳細において、様々な変形、変更および変種を成し得る。
【図１】
2014003642.tif 000003
【図２】
2014003642.tif 000004
【図３】
2014003642.tif 000005
【図４】
2014003642.tif 000006
【図５】
2014003642.tif 000007
【図６】
2014003642.tif 000008
【図７】
2014003642.tif 000009
【図８】
2014003642.tif 000010
【図９】
2014003642.tif 000011
【図１０】
2014003642.tif 000012
【図１１】
2014003642.tif 000013
【図１２】
2014003642.tif 000014
【図１３】
2014003642.tif 000015
【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
ワイヤレス通信デバイスへの干渉を低減するための方法であって、
基地局へのワイヤレス通信デバイスの近接度を判断することと、
前記ワイヤレス通信デバイスの近接度を近接度しきい値と比較することと、
登録応答が前記比較に基づいて前記ワイヤレス通信デバイスに送られるようにすることと、
を備える方法。
【手続補正２】
【補正対象書類名】明細書
【補正対象項目名】０１１７
【補正方法】変更
【補正の内容】
【０１１７】
特許請求の範囲は、上記の正確な構成および構成要素に限定されないことを理解されたい。特許請求の範囲の範囲を逸脱することなく、本明細書で説明するシステム、方法および装置の構成、動作および詳細において、様々な変形、変更および変種を成し得る。
以下に本件出願当初の特許請求の範囲に記載された発明を付記する。
［１］  ワイヤレス通信デバイスへの干渉を低減するための方法であって、基地局へのワイヤレス通信デバイスの近接度を判断することと、前記ワイヤレス通信デバイスの近接度を近接度しきい値と比較することと、登録応答が前記比較に基づいて前記ワイヤレス通信デバイスに送られるようにすることと、を備える方法。
［２］  前記方法は前記基地局によって実行される、［１］に記載の方法。
［３］  前記基地局はフェムトアクセスポイントである、［２］に記載の方法。
［４］  前記ワイヤレス通信デバイスの前記近接度は前記基地局から前記ワイヤレス通信デバイスまでの経路損失を表し、前記経路損失は前記近接度しきい値未満であり、登録応答が送られるようにすることは登録応答を前記ワイヤレス通信デバイスに送ることを備える、［１］に記載の方法。
［５］  前記方法はコアネットワークによって実行される、［１］に記載の方法。
［６］  前記ワイヤレス通信デバイスから登録要求を受信することをさらに備え、前記ワイヤレス通信デバイスは前記基地局に対応する限定加入者グループ（ＣＳＧ）の一部でない、［１］に記載の方法。
［７］  前記登録要求はアクセスプローブの一部である、［６］に記載の方法。
［８］  前記アクセスプローブは受信ダウンリンクパイロットチャネル品質情報を備える、［７］に記載の方法。
［９］  前記近接度は、無線周波数（ＲＦ）ダウンリンク経路損失の関数であり、前記受信ダウンリンクパイロットチャネル品質情報とパイロット送信電力とを使用して判断される、［８］に記載の方法。
［１０］  ビーコンをブロードキャストすることをさらに備える、［１］に記載の方法。
［１１］  前記登録応答は登録拒否を備える、［１］に記載の方法。
［１２］  前記登録応答は登録受付けを備える、［１］に記載の方法。
［１３］  前記ワイヤレス通信デバイスとのアクティブデータ／ボイス通信を可能にすることをさらに備える、［１２］に記載の方法。
［１４］  第１のサイクル中に低電力ビーコンをブロードキャストすることと、ここにおいて第１の時間期間が前記第１のサイクルに対応する、第２のサイクル中に高電力ビーコンをブロードキャストすることと、ここにおいて第２の時間期間が前記第２のサイクルに対応する、ワイヤレス通信デバイスから登録要求を受信することと、をさらに備える、［１］に記載の方法。
［１５］  前記登録要求は前記第１の時間期間中に受信され、前記登録応答は登録受付けである、［１４］に記載の方法。
［１６］  前記方法は基地局によって実行され、前記ワイヤレス通信デバイスが近接度ベースのアクセスのための可能性のある候補であるという指示と一緒に、前記登録要求をコアネットワークに渡すことをさらに備える、［１５］に記載の方法。
［１７］  前記登録要求は前記第２の時間期間中に受信され、前記登録応答は登録拒否である、［１４］に記載の方法。
［１８］  前記方法は基地局によって実行され、前記ワイヤレス通信デバイスが近接度ベースのアクセスのための可能性のある候補でないという指示と一緒に、前記登録要求をコアネットワークに渡すことをさらに備える、［１７］に記載の方法。
［１９］  前記近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断され、［１］に記載の方法。
［２０］  前記ワイヤレス通信デバイスに登録拒否を送ることと、低減送信電力期間の間、ダウンリンク送信電力を低減することと、をさらに備える、［６］に記載の方法。
［２１］  前記低減送信電力期間中にいくつの登録要求が受信されたかに基づいて前記低減送信電力期間および／または送信電力を適応させることをさらに備える、［２０］に記載の方法。
［２２］  前記送信電力を低減することは、パイロットチャネル上で前記送信電力を低減することを備える、［２０］に記載の方法。
［２３］  前記送信電力を低減することは、オーバーヘッド（制御）チャネル上で前記送信電力を低減することを備える、［２０］に記載の方法。
［２４］  前記送信電力を低減することは、すべてのチャネル上で前記送信電力を低減することを備える、［２０］に記載の方法。
［２５］  前記ワイヤレス通信デバイスに登録拒否を送ることと、停止期間の間、ビーコン周波数上での送信を停止することと、をさらに備える、［６］に記載の方法。
［２６］  前記ワイヤレス通信デバイスはレガシーユーザ機器（ＵＥ）である、［１］に記載の方法。
［２７］  ワイヤレス通信デバイスへの干渉を低減するように構成されたワイヤレスデバイスであって、プロセッサと、前記プロセッサと電気的に繋がれたメモリと、前記メモリに記憶された複数の命令とを備え、前記複数の命令は、前記ワイヤレスデバイスへのワイヤレス通信デバイスの近接度を判断すること、前記ワイヤレス通信デバイスの近接度を近接度しきい値と比較すること、および前記比較に基づいて、前記ワイヤレス通信デバイスに登録応答を送ることを行うように前記プロセッサによって実行可能である、ワイヤレスデバイス。
［２８］  前記ワイヤレスデバイスは基地局である、［２７］に記載のワイヤレスデバイス。
［２９］  前記基地局はフェムトアクセスポイントである、［２８］に記載のワイヤレスデバイス。
［３０］  前記ワイヤレス通信デバイスの前記近接度は、前記基地局から前記ワイヤレス通信デバイスまでの経路損失を表し、前記経路損失は前記近接度しきい値未満であり、前記登録応答は登録受付けである、［２７］に記載のワイヤレスデバイス。
［３１］  前記複数の命令は前記ワイヤレス通信デバイスから登録要求を受信するようにさらに実行可能であり、前記ワイヤレス通信デバイスは前記ワイヤレスデバイスに対応する限定加入者グループ（ＣＳＧ）の一部でない、［２７］に記載のワイヤレスデバイス。
［３２］  前記登録要求はアクセスプローブの一部である、［３１］に記載のワイヤレスデバイス。
［３３］  前記アクセスプローブは受信ダウンリンクパイロットチャネル品質情報を備える、［３２］に記載のワイヤレスデバイス。
［３４］  前記近接度は、無線周波数（ＲＦ）ダウンリンク経路損失の関数であり、前記受信ダウンリンクパイロットチャネル品質情報とパイロット送信電力とを使用して判断される、［３３］に記載のワイヤレスデバイス。
［３５］  前記複数の命令はビーコンをブロードキャストするようにさらに実行可能である、［２７］に記載のワイヤレスデバイス。
［３６］  前記登録応答は登録拒否を備える、［２７］に記載のワイヤレスデバイス。
［３７］  前記登録応答は登録受付けを備える、［２７］に記載のワイヤレスデバイス。
［３８］  前記複数の命令は前記ワイヤレス通信デバイスとのアクティブデータ／ボイス通信を可能にするようにさらに実行可能である、［３７］に記載のワイヤレスデバイス。
［３９］  前記複数の命令は、第１のサイクル中に低電力ビーコンをブロードキャストすることと、ここにおいて第１の時間期間が前記第１のサイクルに対応する、第２のサイクル中に高電力ビーコンをブロードキャストすることと、ここにおいて第２の時間期間が前記第２のサイクルに対応する、ワイヤレス通信デバイスから登録要求を受信することと、を行うようにさらに実行可能である、［２７］に記載のワイヤレスデバイス。
［４０］  前記登録要求は前記第１の時間期間中に受信され、前記登録応答は登録受付けである、［３９］に記載のワイヤレスデバイス。
［４１］  前記複数の命令は、前記ワイヤレス通信デバイスが近接度ベースのアクセスのための可能性のある候補であるという指示と一緒に、前記登録要求をコアネットワークに渡すようにさらに実行可能である、［４０］に記載のワイヤレスデバイス。
［４２］  前記登録要求は前記第２の時間期間中に受信され、前記登録応答は登録拒否である、［３９］に記載のワイヤレスデバイス。
［４３］  前記複数の命令は、前記ワイヤレス通信デバイスが近接度ベースのアクセスのための可能性のある候補でないという指示と一緒に、前記登録要求をコアネットワークに渡すようにさらに実行可能である、［４２］に記載のワイヤレスデバイス。
［４４］  前記近接度は、前に近接度ベースのアクセスを可能にされたワイヤレス通信デバイスからの後続の呼に対して、アクセスプローブの受信中に測定されたアップリンク信号強度の記録と、パイロットチャネル上で受信されたアップリンク信号強度の記録とを使用して判断される、［２７］に記載のワイヤレスデバイス。
［４５］  前記複数の命令は、前記ワイヤレス通信デバイスに登録拒否を送ることと、低減送信電力期間の間、ダウンリンク送信電力を低減することと、を行うようにさらに実行可能である、［３１］に記載のワイヤレスデバイス。
［４６］  前記複数の命令は、前記低減送信電力期間中にいくつの登録要求が受信されたかに基づいて前記低減送信電力期間を適応させるようにさらに実行可能である、［４５］に記載のワイヤレスデバイス。
［４７］  前記送信電力を低減することは、パイロットチャネル上で前記送信電力を低減することを備える、［４５］に記載のワイヤレスデバイス。
［４８］  前記送信電力を低減することは、オーバーヘッド（制御）チャネル上で前記送信電力を低減することを備える、［４５］に記載のワイヤレスデバイス。
［４９］  前記送信電力を低減することは、総送信電力を低減することを備える、［４５］に記載のワイヤレスデバイス。
［５０］  前記複数の命令は、前記ワイヤレス通信デバイスに登録拒否を送ることと、停止期間の間、ビーコン周波数上での送信を停止することと、を行うようにさらに実行可能である、［３１］に記載のワイヤレスデバイス。
［５１］  前記ワイヤレス通信デバイスはレガシーユーザ機器（ＵＥ）である、［２７］に記載のワイヤレスデバイス。
［５２］  ワイヤレス通信デバイスへの干渉を低減するように構成されたワイヤレスデバイスであって、前記ワイヤレスデバイスへのワイヤレス通信デバイスの近接度を判断するための手段と、前記ワイヤレス通信デバイスの近接度を近接度しきい値と比較するための手段と、前記比較に基づいて、前記ワイヤレス通信デバイスに登録応答を送るための手段と
を備える、ワイヤレスデバイス。
［５３］  ワイヤレス通信デバイスへの干渉を低減するためのコンピュータプログラム製品であって、前記コンピュータプログラム製品がその上に複数の命令を有するコンピュータ可読媒体を備え、前記複数の命令は、ワイヤレスデバイスへのワイヤレス通信デバイスの近接度を判断するためのコードと、前記ワイヤレス通信デバイスの近接度を近接度しきい値と比較するためのコードと、前記比較に基づいて、登録応答が前記ワイヤレス通信デバイスに送られるようにするためのコードと、を備える、コンピュータプログラム製品。
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のサイクル中に低電力ビーコンをブロードキャストすることと、ここにおいて第１の時間期間が前記第１のサイクルに対応する、
第２のサイクル中に高電力ビーコンをブロードキャストすることと、ここにおいて第２の時間期間が前記第２のサイクルに対応する、
ワイヤレス通信デバイスから登録要求を受信することと、
前記第１の時間期間および前記第２の時間期間に関連して前記登録要求が受信されるときに少なくとも一部に基づき、基地局への前記ワイヤレス通信デバイスの近接度を決定することと、
を備える方法。
【請求項２】
前記ワイヤレス通信デバイスの前記近接度を近接度しきい値と比較することと、
登録応答が前記比較に基づいて前記ワイヤレス通信デバイスに送られるようにすることと、
をさらに備える請求項１に記載の方法。
【請求項３】
前記登録要求は前記第１の時間期間中に受信され、前記登録応答は登録受付けである、請求項２に記載の方法。
【請求項４】
前記ワイヤレス通信デバイスが近接度ベースのアクセスのための可能性のある候補であるという指示と一緒に、前記登録要求をコアネットワークに渡すことをさらに備え、基地局によって実行される、請求項３に記載の方法。
【請求項５】
前記登録要求は前記第２の時間期間中に受信され、前記登録応答は登録拒否である、請求項２に記載の方法。
【請求項６】
前記ワイヤレス通信デバイスが近接度ベースのアクセスのための可能性のある候補でないという指示と一緒に、前記登録要求をコアネットワークに渡すことをさらに備え、基地局によって実行される、請求項５に記載の方法。
【請求項７】
前記ワイヤレス通信デバイスに登録拒否を送ることと、
低減送信電力期間の間、ダウンリンク送信電力を低減することと、
をさらに備える、請求項１に記載の方法。
【請求項８】
前記低減送信電力期間中にいくつの登録要求が受信されたかに基づいて前記低減送信電力期間および／または送信電力を適応させることをさらに備える、請求項７に記載の方法。
【請求項９】
前記送信電力を低減することは、パイロットチャネル上で前記送信電力を低減することを備える、請求項７に記載の方法。
【請求項１０】
前記送信電力を低減することは、オーバーヘッド（制御）チャネル上で前記送信電力を低減することを備える、請求項７に記載の方法。
【請求項１１】
前記送信電力を低減することは、すべてのチャネル上で前記送信電力を低減することを備える、請求項７に記載の方法。
【請求項１２】
前記ワイヤレス通信デバイスに登録拒否を送ることと、
停止期間の間、ビーコン周波数上での送信を停止することと、
をさらに備える、請求項１に記載の方法。
【請求項１３】
前記ワイヤレス通信デバイスはレガシーユーザ機器（ＵＥ）である、請求項１に記載の方法。
【請求項１４】
ワイヤレス通信デバイスであって、
プロセッサと、
前記プロセッサと電気的に繋がれたメモリと、
を備え、
前記プロセッサが、前記メモリに記憶された複数の命令を、
第１のサイクル中に低電力ビーコンをブロードキャストすることと、ここにおいて第１の時間期間が前記第１のサイクルに対応する、
第２のサイクル中に高電力ビーコンをブロードキャストすることと、ここにおいて第２の時間期間が前記第２のサイクルに対応する、
ワイヤレス通信デバイスから登録要求を受信することと、
前記第１の時間期間および前記第２の時間期間に関連して前記登録要求が受信されるときに少なくとも一部に基づき、基地局への前記ワイヤレス通信デバイスの近接度を決定することと、
を行うようために実行可能である、ワイヤレス通信デバイス。
【請求項１５】
前記複数の命令は、
前記ワイヤレス通信デバイスの前記近接度を近接度しきい値と比較すること、および
前記比較に基づいて、前記ワイヤレス通信デバイスに登録応答を送ることを行うためにさらに実行可能である、請求項１４に記載のワイヤレス通信デバイス。
【請求項１６】
前記登録要求は前記第１の時間期間中に受信され、前記登録応答は登録受付けである、請求項１５に記載のワイヤレス通信デバイス。
【請求項１７】
前記複数の命令は、前記ワイヤレス通信デバイスが近接度ベースのアクセスのための可能性のある候補であるという指示と一緒に、前記登録要求をコアネットワークに渡すためにさらに実行可能である、請求項１６に記載のワイヤレス通信デバイス。
【請求項１８】
前記登録要求は前記第２の時間期間中に受信され、前記登録応答は登録拒否である、請求項１５に記載のワイヤレス通信デバイス。
【請求項１９】
前記複数の命令は、前記ワイヤレス通信デバイスが近接度ベースのアクセスのための可能性のある候補でないという指示と一緒に、前記登録要求をコアネットワークに渡すためにさらに実行可能である、請求項１８に記載のワイヤレス通信デバイス。
【請求項２０】
前記複数の命令は、
前記ワイヤレス通信デバイスに登録拒否を送ることと、
低減送信電力期間の間、ダウンリンク送信電力を低減することと、
を行うためにさらに実行可能である、請求項１４に記載のワイヤレス通信デバイス。
【請求項２１】
前記複数の命令は、前記低減送信電力期間中にいくつの登録要求が受信されたかに基づいて前記低減送信電力期間を適応させるためにさらに実行可能である、請求項２０に記載のワイヤレス通信デバイス。
【請求項２２】
前記送信電力を低減することは、パイロットチャネル上で前記送信電力を低減することを備える、請求項２０に記載のワイヤレス通信デバイス。
【請求項２３】
前記送信電力を低減することは、オーバーヘッド（制御）チャネル上で前記送信電力を低減することを備える、請求項２０に記載のワイヤレス通信デバイス。
【請求項２４】
前記送信電力を低減することは、総送信電力を低減することを備える、請求項２０に記載のワイヤレス通信デバイス。
【請求項２５】
前記複数の命令は、
前記ワイヤレス通信デバイスに登録拒否を送ることと、
停止期間の間、ビーコン周波数上での送信を停止することと、
を行うためにさらに実行可能である、請求項１４に記載のワイヤレス通信デバイス。
【請求項２６】
前記ワイヤレス通信デバイスはレガシーユーザ機器（ＵＥ）である、請求項１４に記載のワイヤレス通信デバイス。
【請求項２７】
ワイヤレス通信デバイスであって、
第１のサイクル中に低電力ビーコンをブロードキャストするための手段と、ここにおいて第１の時間期間が前記第１のサイクルに対応する、
第２のサイクル中に高電力ビーコンをブロードキャストするための手段と、ここにおいて第２の時間期間が前記第２のサイクルに対応する、
ワイヤレス通信デバイスから登録要求を受信するための手段と、
前記第１の時間期間および前記第２の時間期間に関連して前記登録要求が受信されるときに少なくとも一部に基づき、基地局への前記ワイヤレス通信デバイスの近接度を決定するための手段と、
を備える、ワイヤレス通信デバイス。
【請求項２８】
ワイヤレス通信のため複数の命令を記憶するコンピュータ可読記憶媒体であって、前記複数の命令は、
第１のサイクル中に低電力ビーコンをブロードキャストするためのコードと、ここにおいて第１の時間期間が前記第１のサイクルに対応する、
第２のサイクル中に高電力ビーコンをブロードキャストするためのコードと、ここにおいて第２の時間期間が前記第２のサイクルに対応する、
ワイヤレス通信デバイスから登録要求を受信するためのコードと、
前記第１の時間期間および前記第２の時間期間に関連して前記登録要求が受信されるときに少なくとも一部に基づき、基地局への前記ワイヤレス通信デバイスの近接度を決定するためのコードと、
を備える、コンピュータ可読記憶媒体。
【外国語明細書】
2014003642000001.pdf